(57)【要約】  隔離を実現するのに使用するための装置が、本体を有する隔離テントを含み、本体は、屋根部材と、使用時に支持表面と屋根部材との間に延び、それにより、周辺環境から実質的に隔離された内容積部を少なくとも部分的に画定する少なくとも１つの壁と、本体に結合された複数のコネクタであって、本体をフレームに物理的に取り付けるように適合された複数のコネクタと、電気部品であって、複数のコネクタのうちの少なくとも１つに電気的に接続されて、コネクタを介して電気信号が電気部品へ転送されるまたは電気部品から転送されることを可能にする、電気部品とを含む。
2020515748.tif 000002
【特許請求の範囲】
【請求項１】
隔離を実現するのに使用するための装置であって、本体を有する隔離テントを含み、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と、
ｃ）前記本体に結合された複数のコネクタであって、フレームに係合するように適合された複数のコネクタと、
ｄ）電気部品であって、前記複数のコネクタのうちの少なくとも１つに電気的に接続されて、前記コネクタを介して電気信号が前記電気部品へ転送されるまたは前記電気部品から転送されることを可能にする、電気部品と
を含む、装置。
【請求項２】
前記コネクタは、
ａ）前記本体を前記フレームに物理的に取り付けることと、
ｂ）前記フレームのフレーム・コネクタに物理的に結合することと
の少なくとも一方を行うように適合される、請求項１に記載の装置。
【請求項３】
前記コネクタとフレーム・コネクタが、
ａ）相補的プラグおよびソケット接続と、
ｂ）フックおよびアイと、
ｃ）摩擦嵌めと、
ｄ）締まり嵌めと、
ｅ）クリップ嵌めと
のうちの少なくとも１つを使用して機械的に結合される、請求項２に記載の装置。
【請求項４】
前記コネクタはピンを含み、前記フレーム・コネクタはソケットを含み、前記ピンは、前記フレームに前記フレーム・コネクタを結合するように、前記ソケットに挿入される、請求項２に記載の装置。
【請求項５】
前記ソケットは、前記ピンを固定するためのキャッチと、前記ピンを選択的に解放するための解放機構とを含む、請求項４に記載の装置。
【請求項６】
前記フレーム・コネクタは、前記フレームにおける溝を含み、前記コネクタは、前記溝内に摺動可能に装着されるスロット付きペグを含む、請求項２に記載の装置。
【請求項７】
前記フレームは、複数の溝を含み、各溝は、それぞれのスロット付きペグを受け入れる形状にされた開口を含み、それにより、ペグがそれぞれの溝内に摺動可能に装着されることを可能にする、請求項６に記載の装置。
【請求項８】
前記溝は、前記溝内に前記ペグを選択的にロックするために使用される解放可能ロックを含む、請求項６または７に記載の装置。
【請求項９】
前記電気部品は、前記本体にわたって少なくとも部分的に延びる少なくとも１つの導体であり、前記導体は、前記複数のコネクタのうちの少なくとも１つに電気的に接続されて、電気信号が前記少なくとも１つのコネクタおよび前記少なくとも１つの導体を介して伝導されることを可能にする、請求項１から８のいずれか一項に記載の装置。
【請求項１０】
前記少なくとも１つの導体は、
ａ）データ通信信号と、
ｂ）電力供給信号と
のうちの少なくとも１つを伝導するように適合される、請求項９に記載の装置。
【請求項１１】
前記コネクタは、前記フレームに装着されたフレーム・コネクタに電気的に結合するように適合され、前記フレーム・コネクタは、それぞれの電気部品に電気的に接続される、請求項９または１０に記載の装置。
【請求項１２】
少なくとも１つのフレーム・コネクタが、電源に電気的に接続され、少なくとも１つのフレーム・コネクタが、前記フレームに装着された電気機器に電気的に接続され、したがって、前記電気機器は、前記少なくとも１つの導体を介して前記電源によって電力供給されることができる、請求項９から１１のいずれか一項に記載の装置。
【請求項１３】
前記少なくとも１つの導体は、
ａ）前記本体に埋め込まれまたは取り付けられたワイヤと、
ｂ）前記本体の表面に設けられた銀メッキされたナイロン導体と、
ｃ）前記本体にプリント、縫い付け、埋め込み、または接着された導電性材料と、
ｄ）前記本体の表面に設けられた銀メッキされたナノワイヤ導体と
のうちの少なくとも１つを含む、請求項９から１２のいずれか一項に記載の装置。
【請求項１４】
前記少なくとも１つの導体は、前記壁と前記屋根との間の継ぎ目に少なくとも部分的に沿って延びる、請求項９から１３のいずれか一項に記載の装置。
【請求項１５】
前記電気部品は、前記内容積部を照明するための照明を含む、請求項１から１４のいずれか一項に記載の装置。
【請求項１６】
前記電気部品は、前記本体を検証するために使用される、請求項１から１５のいずれか一項に記載の装置。
【請求項１７】
前記電気部品は、検証データを記憶するメモリを含み、前記検証データは、前記フレームに前記本体が連結されたときに処理デバイスによって読み出され、したがって、前記処理デバイスが前記本体を検証することを可能にする、請求項１６に記載の装置。
【請求項１８】
前記メモリは、書き込み可能であり、したがって、前記検証データが使用中に更新されることを可能にする、請求項１６または１７に記載の装置。
【請求項１９】
前記検証データは、
ａ）前記本体が現在のフレームと共に使用するのに適切な本体であることと、
ｂ）前記本体が有効期限を超えていないことと、
ｃ）前記本体が貯蔵寿命を超えていないことと、
ｄ）前記本体が定義された使用期間を超えていないことと、
ｅ）前記本体が以前に使用されていないことと
のうちの少なくとも１つを確認するために前記本体を検証するために使用される、請求項１６から１８のいずれか一項に記載の装置。
【請求項２０】
前記検証データは、
ａ）デジタル署名と、
ｂ）一意の参照番号と、
ｃ）暗号化されたデータと
のうちの少なくとも１つを含む、請求項１６から１９のいずれか一項に記載の装置。
【請求項２１】
前記本体は、前記内容積部内または前記内容積部外へ流れる空気を濾過するフィルタ部材を含む、請求項１から２０のいずれか一項に記載の装置。
【請求項２２】
前記フィルタ部材は、側壁および前記屋根のうちの少なくとも１つに装着される、請求項２１に記載の装置。
【請求項２３】
前記フィルタ部材は、使用時に空気濾過システムの一部を形成する、請求項２１または２２に記載の装置。
【請求項２４】
前記フィルタ部材は、前記フィルタ部材を前記フレームに物理的に取り付けるように適合されたコネクタを含む、請求項２１から２３いずれか一項に記載の装置。
【請求項２５】
前記フィルタ部材は、フィルタ本体を支持するフィルタ・フレームを含み、前記コネクタは、前記フレームにおけるフィルタ取付け部に係合する前記フィルタ・フレームによって形成され、それにより、前記フィルタ部材を前記フレームに取り付ける、請求項２４に記載の装置。
【請求項２６】
前記フィルタ部材は、前記フィルタ・フレームに装着された第１および第２のフィルタ部材接触部を含む、請求項２５に記載の装置。
【請求項２７】
前記第１および第２のフィルタ部材接触部は、前記フィルタ取付け部に取り付けられたフレーム接触部に係合し、前記フレーム接触部は、電気機器に電気的に接続され、それにより、前記電気部品を前記電気機器に電気的に接続する、請求項２６に記載の装置。
【請求項２８】
前記電気部品は、前記第１のフィルタ部材接触部と前記第２のフィルタ部材接触部との間に延びる導体を含む、請求項２６または２７に記載の装置。
【請求項２９】
前記フィルタ部材接触部は、前記フィルタ・フレームにおけるそれぞれの凹部に装着される、請求項２６から２８のいずれか一項に記載の装置。
【請求項３０】
前記電気部品は、
ａ）空気濾過システムと、
ｂ）ドア・アクチュエータと
のうちの少なくとも１つに対する電力を伝導するように構成される、請求項２１から２９のいずれか一項に記載の装置。
【請求項３１】
前記本体は、前記フィルタ部材の周りに少なくとも部分的に延びる接着材を含み、それにより、前記本体を空気濾過システムに取り付ける、請求項２１から３０のいずれか一項に記載の装置。
【請求項３２】
前記本体は、空気濾過システムに密封係合するように適合される、請求項２１から３１のいずれか一項に記載の装置。
【請求項３３】
前記フィルタ部材は、
ａ）チャコール・フィルタと、
ｂ）炭素フィルタと、
ｃ）粒子フィルタと、
ｄ）ＨＥＰＡフィルタと
のうちの少なくとも１つである、請求項２１から３２のいずれか一項に記載の装置。
【請求項３４】
前記本体は、ドアを画定するカーテンを含む、請求項１から３３のいずれか一項に記載の装置。
【請求項３５】
前記カーテンは、開位置で前記本体に取り付けられ、前記フレームに装着されたドア機構に前記カーテンが取り付けられることが可能であるように取外し可能である、請求項３４に記載の装置。
【請求項３６】
前記本体は、長方形の屋根部材に装着された４つの壁部材を含む、請求項１から３５のいずれか一項に記載の装置。
【請求項３７】
前記屋根部材は、柔軟な通気性シート材料を備え、前記壁部材は、柔軟な耐水性シート材料を備える、請求項１から３６のいずれか一項に記載の装置。
【請求項３８】
前記本体は、使用時に前記フレームの内側に取除き可能に装着される、請求項１から３７のいずれか一項に記載の装置。
【請求項３９】
前記壁は、前記壁の下縁に設けられた少なくとも部分的に接着性の材料を使用して前記装置を支持する表面に係合する、請求項１から３８のいずれか一項に記載の装置。
【請求項４０】
前記本体は使い捨てである、請求項１から３９のいずれか一項に記載の装置。
【請求項４１】
前記本体は、開口を有するパッケージ内に供給され、前記本体は、
ａ）前記本体を展開すること、および
ｂ）前記パッケージから前記本体を取り除くこと
のうちの少なくとも１つを行うことなく前記複数のコネクタがアクセス可能であるように、前記パッケージ内に折り畳まれる、請求項１から４０のいずれか一項に記載の装置。
【請求項４２】
使用時に、前記本体は、前記コネクタを前記フレームに取り付けてその後に前記パッケージが取り除かれることによって、折畳み位置でフレームに取り付けられることができる、請求項４１に記載の装置。
【請求項４３】
前記パッケージは、前記本体に取り付けられたままで、ごみ容器として機能するように適合される、請求項４１または４２に記載の装置。
【請求項４４】
隔離を実現するのに使用するための装置であって、本体を含み、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と、
ｃ）機械可読検証データであって、前記検証データは、前記フレームに前記本体が連結されたときに処理デバイスによって読み出され、したがって、前記処理デバイスが前記本体を検証することを可能にする、機械可読検証データと
を有する、装置。
【請求項４５】
前記機械可読検証データは、
ａ）前記隔離テント上に提供される視覚的マーキングとして提示されること、ならびに
ｂ）前記隔離テントに取り付けられたメモリに記憶され、
ｉ）コネクタを介する有線接続と、
ｉｉ）フィルタ・ユニットと前記隔離テントまたはフィルタ部材のいずれかとの間の結合を介する有線接続と、
ｉｉｉ）無線接続と
のうちの少なくとも１つを介して読み取られること
の少なくとも一方がなされる、請求項４４に記載の装置。
【請求項４６】
本体を含む装置を使用して隔離を実現するのに使用するための方法であって、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と
を有し、
前記方法は、１つまたは複数の電子処理デバイスにおいて、
ｉ）フレームに前記本体が連結されたときに機械可読検証データを読み取ることと、
ｉｉ）前記検証データを使用して前記本体を検証することと、
ｉｉｉ）前記本体の成功した検証に応答して１つまたは複数の電子部品を選択的に作動させることと
を含む方法。
【請求項４７】
隔離を実現するのに使用するための装置であって、本体を含み、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と、
ｃ）前記内容積部内または前記内容積部外へ流れる空気を濾過するフィルタ部材と
を有する、装置。
【請求項４８】
前記フィルタ部材は、前記フレームに係合するように適合されたコネクタを含む、請求項４７に記載の装置。
【請求項４９】
前記フィルタ部材は、フィルタ本体を支持するフィルタ・フレームを含み、前記コネクタは、前記フレームにおけるフィルタ取付け部に係合する前記フィルタ・フレームの少なくとも一部によって形成され、それにより、前記フィルタ部材を前記フレームに取り付ける、請求項４８に記載の装置。
【請求項５０】
前記装置は、電気部品であって、前記コネクタに電気的に接続されて、前記コネクタを介して電気信号が前記電気部品へ転送されるまたは前記電気部品から転送されることを可能にする、電機部品を含む、請求項４８または４９に記載の装置。
【請求項５１】
前記フィルタ部材は、前記フィルタ・フレームに装着された第１および第２のフィルタ部材接触部を含む、請求項５０に記載の装置。
【請求項５２】
前記第１および第２のフィルタ部材は、前記フィルタ取付け部に取り付けられたフレーム接触部に係合し、前記フレーム接触部は、電気機器に電気的に接続され、それにより、前記電気部品を前記電気機器に電気的に接続する、請求項５１に記載の装置。
【請求項５３】
前記フィルタ部材接触部は、前記フィルタ・フレームにおけるそれぞれの凹部に装着される、請求項５１または５２に記載の装置。
【請求項５４】
前記電気部品は、前記第１のフィルタ部材接触部と前記第２のフィルタ部材接触部との間に延びる導体を含む、請求項５１から５３のいずれか一項に記載の装置。
【請求項５５】
前記電気部品は、
ａ）空気濾過システムと、
ｂ）ドア・アクチュエータと
のうちの少なくとも１つに対する電力を伝導するように構成される、請求項５４に記載の装置。
【請求項５６】
前記フィルタ部材は、使用時に空気濾過システムの一部を形成する、請求項４７から５５のいずれか一項に記載の装置。
【請求項５７】
隔離を実現するのに使用するための装置であって、本体を含み、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と、
ｃ）ドアを画定するカーテンであって、開位置で前記本体に取り付けられ、前記フレームに装着されたドア機構に前記カーテンが取り付けられることが可能であるように取外し可能であるカーテンと
を有する、装置。
【請求項５８】
隔離を実現するのに使用するための装置であって、本体を含み、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と、
ｃ）前記本体に結合された複数のコネクタであって、前記フレームに係合するように適合された複数のコネクタと、
ｄ）前記本体にわたって少なくとも部分的に延びる少なくとも１つの導体であって、前記導体は、前記複数のコネクタのうちの少なくとも２つに電気的に接続されて、電気信号が前記２つのコネクタおよび前記少なくとも１つの導体を介して伝導されることを可能にする、少なくとも１つの導体と
を有する、装置。
【請求項５９】
前記装置は、折畳みされた構成と立設された構成との間で可動なフレームを含み、前記フレームは、
ａ）いくつかの直立脚と、
ｂ）前記脚を相互連結するいくつかの横方向連結部材であって、前記連結部材は、収縮位置と伸展位置との間で可動なシザー・アームを含み、前記フレームの隣接する側面のシザー・アームは、前記フレームが第１の方向に延ばされ次いで前記第１の方向と直交する第２の方向に延ばされることが可能であるように、独立している、いくつかの横方向連結部材と
を含む、請求項１から５８のいずれか一項に記載の装置。
【請求項６０】
前記装置は、処理デバイスを含み、前記処理デバイスは、前記フレームに前記本体が連結されたときに、前記本体上に提供された機械可読検証データを読み取り、したがって、前記処理デバイスが前記本体を検証することを可能にする、請求項１から５９のいずれか一項に記載の装置。
【請求項６１】
前記処理デバイスは、前記フレームに装着されたフィルタ・ユニット内に設けられる、請求項６０に記載の装置。
【請求項６２】
前記処理デバイスは、
ａ）前記隔離テント上に提供される視覚的マーキングを光学的に感知すること、ならびに
ｂ）前記隔離テントに取り付けられたメモリから、
ｉ）コネクタを介する有線接続と、
ｉｉ）フィルタ・ユニットと前記隔離テントまたはフィルタ部材のいずれかとの間の結合を介する有線接続と、
ｉｉｉ）無線接続と
のうちの少なくとも１つを介して検証データを読み出すこと
の少なくとも一方によって前記機械可読検証データを読み取る、請求項６０または６１に記載の装置。
【請求項６３】
前記処理デバイスは、１つまたは複数の機能部品を制御し、前記処理デバイスは、前記本体の検証に応答して前記機能部品を選択的に作動させる、請求項６２に記載の装置。
【請求項６４】
前記機能部品は、
ａ）ドアを開くドア・アクチュエータと、
ｂ）空気濾過システムと
のうちの少なくとも１つを含む、請求項６３に記載の装置。
【請求項６５】
パッケージ内に本体を梱包する方法であって、前記本体は、
ａ）屋根部材と、
ｂ）少なくとも１つの壁部材であって、前記屋根部材に取り付けられ、したがって、前記少なくとも１つの壁部材は、使用時に支持表面と前記屋根部材との間に延びることができ、それにより、周辺環境から実質的に隔離された内容積部を少なくとも部分的に画定する、少なくとも１つの壁部材と、
ｃ）前記本体に結合された複数のコネクタであって、前記本体をフレームに物理的に取り付けるように適合され、前記屋根部材の角部付近に設けられた、複数のコネクタと
を含み、前記方法は、
ｉ）第２の対向する側面が近接されるように、直立した中心の線に沿って第１の対向する側面を折り畳むことと、
ｉｉ）いずれかの順序で、
（１）前記第２の対向する壁部材を蛇腹状に畳むこと、および
（２）前記本体を長さ方向に折り畳むこと
を行うことと
を含む方法。
【請求項６６】
奇数の折り目を使用して、前記第２の対向する側面を蛇腹状に畳むことを含む、請求項６５に記載の方法。
【請求項６７】
ａ）対向する前壁および後壁を折り畳んで側壁を一緒にまとめることと、
ｂ）前記側壁を蛇腹状に畳むことと
を含む、請求項６６に記載の方法。
【請求項６８】
ａ）対向する前側面および後側面を折り畳んで、前角部を一緒にまとめ、後角部を一緒にまとめることと、
ｂ）前記側壁を蛇腹状に畳むことと、
ｃ）左前角部および左後角部を折り重ねて、左角部を一緒にまとめ、右角部を一緒にまとめることと
を含む、請求項６７に記載の方法。
【請求項６９】
本体をフレームに取り付ける方法であって、
ａ）前記本体を収容するパッケージから複数のコネクタにアクセスすることであって、前記コネクタは、
ｉ）前記本体を展開すること、および
ｉｉ）前記パッケージから前記本体を取り除くこと
のうちの少なくとも１つを行うことなくアクセス可能である、アクセスすることと、
ｂ）折畳み位置で前記コネクタをフレームに取り付けることと、
ｃ）前記フレームが延ばされたときに前記本体が展開するように前記フレームを延ばすことと
を含む方法。
【発明の詳細な説明】
【技術分野】
【０００１】
本発明は、隔離を実現するのに使用するための隔離テントに関し、一例では、病棟などの医療施設内で患者や機器のような対象を隔離するための隔離テントに関する。
【背景技術】
【０００２】
本明細書における任意の先行刊行物（もしくはそれから得られる情報）または任意の既知の事項への言及は、先行刊行物（もしくはそれから得られる情報）または既知の事項が本明細書に関連する努力の分野における通常の一般的知識の一部を形成することの承認、容認、または任意の形態の示唆として解釈されず、または解釈されるべきではない。
【０００３】
病院および他の医療施設における感染対策は、感染症や薬剤耐性感染などの発生率の上昇と共にますます重要になりつつある。そのような感染は、特に免疫不全の患者において深刻な結果を有することがあり、結果として、病院滞在期間の増大、治療費用の増大、および死亡率の増大をもたらす。推定では、医療機関によっては感染レベルが１０〜２０％の領域にあり得ることを示し、これは、医療施設で得られた感染が年間の医療費のかなりの割合を占めることを意味する。
【０００４】
感染は、典型的には、接触感染、飛沫感染、および空気感染を含むいくつかの異なるメカニズムを介して感染される。感染率を低下させるための現在の最良の実践は、典型的には、定期的な手洗い、表面消毒、および機器の滅菌などの基本的な衛生処置に依存し、それによって他の患者の感染を防止する。しかしながら、そのような処置の有効性は限定されており、世界保健機関の基準では、感染を有する患者または感染を有すると疑われる患者は他の患者から隔離されるべきであると示している。これは、感染患者を隔てるための十分なリソースおよび利用可能な空間を有しない多くの施設では困難であることを示し得る。
【０００５】
このような問題に対しいくつかの解決策が提案されている。
【０００６】
ＥＰ０，６１９，１０８は、外部フレームと、フレームから吊るされフレーム内で吊り下がる可撓性被覆体とを含む、患者を隔離するための囲いを記載している。被覆体は、底部、頂部、２つの側部、前壁部分、および後壁部分を有する。側部または前壁部分の１つに患者の進入を可能にする閉鎖可能な入口手段が備え付けられている。空気から感染性粒子を濾過して除去するように適合されかつポンプ手段と協働するように適合された一体式のフィルタ手段と、囲いの外側から内側への一方向の空気の通過を可能にする弁手段とが備え付けられた壁部分のうちの１つに開口がある。ポンプ手段は上記フィルタ手段を通して空気を吸引して、囲いの内部に負圧を形成し、それにより、空気が弁−囲い−フィルタ手段の方向に流れて、汚染物質が囲い内から外側に逃げ出さないようにする。
【０００７】
米国特許出願公開第２００４／０７４，２１２号は、折畳み可能な枠体と、組み立てられた枠体に取り付けられ得る可燃性樹脂シート製の可撓性被覆体と、被覆体から空気を排出または排気するための排気装置とを含む、患者隔離ユニットを記載している。排気装置は、ＵＶランプ、ＨＥＰＡ（Ｈｉｇｈ−Ｅｆｆｉｃｉｅｎｃｙ  Ｐａｒｔｉｃｕｌａｔｅ  Ａｉｒ）フィルタ、および送風機を含む。
【発明の概要】
【発明が解決しようとする課題】
【０００８】
しかしながら、これらの装置構成にはいくつかの欠点がある。たとえば、密封された被覆体を維持する必要性は、装置を複雑にし、したがって高価にする。これらの装置構成はまた、立設することが困難なばかりでなく、装置構成が立設された後に患者が被覆体内に移動させられることを必要とするため、不便な可能性があり、状況によっては装置構成が使用されるのを妨げることがある。最後に、これらの装置構成は、典型的には、ドアが手によって手動で開かれることを必要とし、これは、ドアが開かれているときに感染性物質が移される可能性があり、その後の前方感染につながり、それにより装置構成の有効性を限定する。
【０００９】
ＷＯ２０１４／０１９０２２は、対象を隔離するのに使用するための装置を記載しており、この装置は、折畳みされた構成と立設された構成との間で可動なフレームと、フレームによって支持された本体であって、立設された構成において、対象を含むための内容積部を画定し、それにより周辺環境から対象を実質的に隔離する本体と、フレームによって支持されたドア・アクチュエータであって、ドアを開位置と閉位置との間で動かし、それにより内容積部に対するアクセスを提供するドア・アクチュエータとを含む。
【課題を解決するための手段】
【００１０】
１つの広範な形態では、本発明の態様は、隔離を実現するのに使用するための装置を提供しようとするものであり、装置は、本体を有する隔離テントを含み、本体は、屋根部材と、使用時に支持表面と屋根部材との間に延び、それにより、周辺環境から実質的に隔離された内容積部を少なくとも部分的に画定する少なくとも１つの壁と、本体に結合された複数のコネクタであって、フレームに係合するように適合された複数のコネクタと、電気部品であって、複数のコネクタのうちの少なくとも１つに電気的に接続されて、コネクタを介して電気信号が電気部品へ転送されるまたは電気部品から転送されることを可能にする、電気部品とを含む。
【００１１】
一実施形態では、コネクタは、本体をフレームに物理的に取り付けることと、フレームのフレーム・コネクタに物理的に結合することとの少なくとも一方を行うように適合される。
【００１２】
一実施形態では、コネクタはピンを含み、フレーム・コネクタはソケットを含み、ピンは、フレームにフレーム・コネクタを結合するように、ソケットに挿入される。
【００１３】
一実施形態では、ソケットは、ピンを固定するためのキャッチと、ピンを選択的に解放するための解放機構とを含む。
【００１４】
一実施形態では、コネクタとフレーム・コネクタが、相補的プラグおよびソケット接続と、摩擦嵌めと、フックおよびアイと、締まり嵌めと、クリップ嵌めとのうちの少なくとも１つを使用して機械的に結合される。
【００１５】
一実施形態では、フレーム・コネクタは、フレームにおける溝を含み、コネクタは、溝内に摺動可能に装着されるスロット付きペグを含む。
【００１６】
一実施形態では、フレームは、複数の溝を含み、各溝は、それぞれのスロット付きペグを受け入れる形状にされた開口を含み、それにより、ペグがそれぞれの溝内に摺動可能に装着されることを可能にする。
【００１７】
一実施形態では、溝は、溝内にペグを選択的にロックするために使用される解放可能ロックを含む。
【００１８】
一実施形態では、電気部品は、本体にわたって少なくとも部分的に延びる少なくとも１つの導体であり、導体は、複数のコネクタのうちの少なくとも１つに電気的に接続されて、電気信号が少なくとも１つのコネクタおよび少なくとも１つの導体を介して伝導されることを可能にする。
【００１９】
一実施形態では、少なくとも１つの導体は、データ通信信号と、電力供給信号とのうちの少なくとも１つを伝導するように適合される。
【００２０】
一実施形態では、コネクタは、フレームに装着されたフレーム・コネクタに電気的に結合するように適合され、フレーム・コネクタは、それぞれの電気部品に電気的に接続される。
【００２１】
一実施形態では、少なくとも１つのフレーム・コネクタが、電源に電気的に接続され、少なくとも１つのフレーム・コネクタが、フレームに装着された電気機器に電気的に接続され、したがって、電気機器は、少なくとも１つの導体を介して電源によって電力供給されることができる。
【００２２】
一実施形態では、少なくとも１つの導体は、本体に埋め込まれまたは取り付けられたワイヤと、本体の表面に設けられた銀メッキされたナイロン導体と、本体にプリント、縫い付け、埋め込み、または接着された導電性材料と、本体の表面に設けられた銀メッキされたナノワイヤ導体とのうちの少なくとも１つを含む。
【００２３】
一実施形態では、少なくとも１つの導体は、壁と屋根との間の継ぎ目に少なくとも部分的に沿って延びる。
【００２４】
一実施形態では、電気部品は、内容積部を照明するための照明を含む。
【００２５】
一実施形態では、電気部品は、本体を検証するために使用される。
【００２６】
一実施形態では、電気部品は、検証データを記憶するメモリを含み、検証データは、フレームに本体が連結されたときに処理デバイスによって読み出され、したがって、処理デバイスが本体を検証することを可能にする。
【００２７】
一実施形態では、メモリは、書き込み可能であり、したがって、検証データが使用中に更新されることを可能にする。
【００２８】
一実施形態では、検証データは、本体が現在のフレームと共に使用するのに適切な本体であることと、本体が有効期限を超えていないことと、本体が貯蔵寿命を超えていないことと、本体が定義された使用期間を超えていないことと、本体が以前に使用されていないこととのうちの少なくとも１つを確認するために本体を検証するために使用される。
【００２９】
一実施形態では、検証データは、デジタル署名と、一意の参照番号と、暗号化されたデータとのうちの少なくとも１つを含む。
【００３０】
一実施形態では、本体は、内容積部内または内容積部外へ流れる空気を濾過するフィルタ部材を含む。
【００３１】
一実施形態では、フィルタ部材は、側壁および屋根のうちの少なくとも１つに装着される。
【００３２】
一実施形態では、フィルタ部材は、使用時に空気濾過システムの一部を形成する。
【００３３】
一実施形態では、フィルタ部材は、フィルタ部材をフレームに物理的に取り付けるように適合されたコネクタを含む。
【００３４】
一実施形態では、フィルタ部材は、フィルタ本体を支持するフィルタ・フレームを含み、コネクタは、フレームにおけるフィルタ取付け部に係合するフィルタ・フレームによって形成され、それにより、フィルタ部材をフレームに取り付ける。
【００３５】
一実施形態では、フィルタ部材は、フィルタ・フレームに装着され電気部品に電気的に接続された、第１および第２のフィルタ部材接触部を含む。
【００３６】
一実施形態では、第１および第２のフィルタ部材は、フィルタ取付け部に取り付けられたフレーム接触部に係合し、フレーム接触部は、電気機器に電気的に接続され、それにより、電気部品を電気機器に電気的に接続する。
【００３７】
一実施形態では、電気部品は、第１のフィルタ部材接触部と第２のフィルタ部材接触部との間に延びる導体を含む。
【００３８】
一実施形態では、フィルタ部材接触部は、フィルタ・フレームにおけるそれぞれの凹部に装着される。
【００３９】
一実施形態では、電気部品は、空気濾過システムと、ドア・アクチュエータとのうちの少なくとも１つに対する電力を伝導するように構成される。
【００４０】
一実施形態では、本体は、フィルタ部材の周りに少なくとも部分的に延びる接着材を含み、それにより、本体を空気濾過システムに取り付ける。
【００４１】
一実施形態では、本体は、空気濾過システムに密封係合するように適合される。
【００４２】
一実施形態では、フィルタ部材は、チャコール・フィルタと、炭素フィルタと、粒子フィルタと、ＨＥＰＡフィルタとのうちの少なくとも１つである。
【００４３】
一実施形態では、本体は、ドアを画定するカーテンを含む。
【００４４】
一実施形態では、カーテンは、開位置で本体に取り付けられ、フレームに装着されたドア機構にカーテンが取り付けられることが可能であるように取外し可能である。
【００４５】
一実施形態では、本体は、長方形の屋根部材に装着された４つの壁部材を含む。
【００４６】
一実施形態では、屋根部材は、柔軟な通気性シート材料を備え、壁部材は、柔軟な耐水性シート材料を備える。
【００４７】
一実施形態では、本体は、使用時にフレームの内側に取除き可能に装着される。
【００４８】
一実施形態では、壁は、壁の下縁に設けられた少なくとも部分的に接着性の材料を使用して装置を支持する表面に係合する。
【００４９】
一実施形態では、本体は使い捨てである。
【００５０】
一実施形態では、本体は、開口を有するパッケージ内に供給され、本体は、本体を展開すること、およびパッケージから本体を取り除くことのうちの少なくとも１つを行うことなく複数のコネクタがアクセス可能であるように、パッケージ内に折り畳まれる。
【００５１】
一実施形態では、使用時に、本体は、コネクタをフレームに取り付けてその後にパッケージが取り除かれることによって、折畳み位置でフレームに取り付けられることができるが、これは必須ではなく、代わりに、フレームに本体を取り付ける前にパッケージが取り除かれてもよい。
【００５２】
一実施形態では、パッケージは、本体に取り付けられたままで、ごみ容器として機能するように適合される。
【００５３】
１つの広範な形態では、本発明の態様は、隔離を実現するのに使用するための装置を提供しようとするものであり、装置は本体を含み、本体は、屋根部材と、使用時に支持表面と屋根部材との間に延び、それにより、周辺環境から実質的に隔離された内容積部を少なくとも部分的に画定する少なくとも１つの壁と、機械可読検証データであって、検証データは、フレームに本体が連結されたときに処理デバイスによって読み出され、したがって、処理デバイスが本体を検証することを可能にする、機械可読検証データとを有する。
【００５４】
一実施形態では、機械可読検証データは、隔離テント上に提供される視覚的マーキングとして提示されること、ならびに、隔離テントに取り付けられたメモリに記憶され、コネクタを介する有線接続と、フィルタ・ユニットと隔離テントまたはフィルタ部材のいずれかとの間の結合を介する有線接続と、無線接続とのうちの少なくとも１つを介して読み取られること、の少なくとも一方がなされる。
【００５５】
１つの広範な形態では、本発明の態様は、本体を含む装置を使用して隔離を実現するのに使用するための方法を提供しようとするものであり、本体は、屋根部材と、使用時に支持表面と屋根部材との間に延び、それにより、周辺環境から実質的に隔離された内容積部を少なくとも部分的に画定する少なくとも１つの壁とを有し、方法は、１つまたは複数の電子処理デバイスにおいて、フレームに本体が連結されたときに機械可読検証データを読み取ることと、検証データを使用して本体を検証することと、本体の成功した検証に応答して１つまたは複数の電子部品を選択的に作動させることとを含む。
【００５６】
一実施形態では、１つまたは複数の電子処理デバイスは、フレームに本体が連結されたときに機械可読検証データを読み取り、検証データを使用して本体を検証し、本体の成功した検証に応答して１つまたは複数の電子部品を選択的に作動させる。
【００５７】
１つの広範な形態では、本発明の態様は、隔離を実現するのに使用するための装置を提供しようとするものであり、装置は本体を含み、本体は、屋根部材と、使用時に支持表面と屋根部材との間に延び、それにより、周辺環境から実質的に隔離された内容積部を少なくとも部分的に画定する少なくとも１つの壁と、内容積部内または内容積部外へ流れる空気を濾過するフィルタ部材とを有する。
【００５８】
一実施形態では、フィルタ部材は、フィルタ部材をフレームに物理的に取り付けるように適合されたコネクタを含む。
【００５９】
一実施形態では、フィルタ部材は、フィルタ本体を支持するフィルタ・フレームを含み、コネクタは、フレームにおけるフィルタ取付け部に係合するフィルタ・フレームによって形成され、それにより、フィルタ部材をフレームに取り付ける。
【００６０】
一実施形態では、装置は、電気部品であって、コネクタに電気的に接続されて、コネクタを介して電気信号が電気部品へ転送されるまたは電気部品から転送されることを可能にする、電機部品を含む。
【００６１】
一実施形態では、フィルタ部材は、フィルタ・フレームに装着され電気部品に電気的に接続された、第１および第２のフィルタ部材接触部を含む。
【００６２】
一実施形態では、第１および第２のフィルタ部材は、フィルタ取付け部に取り付けられたフレーム接触部に係合し、フレーム接触部は、電気機器に電気的に接続され、それにより、電気部品を電気機器に電気的に接続する。
【００６３】
一実施形態では、フィルタ部材接触部は、フィルタ・フレームにおけるそれぞれの凹部に装着される。
【００６４】
一実施形態では、電気部品は、第１のフィルタ部材接触部と第２のフィルタ部材接触部との間に延びる導体を含む。
【００６５】
一実施形態では、電気部品は、空気濾過システムと、ドア・アクチュエータとのうちの少なくとも１つに対する電力を伝導するように構成される。
【００６６】
一実施形態では、フィルタ部材は、使用時に空気濾過システムの一部を形成する。
【００６７】
１つの広範な形態では、本発明の態様は、隔離を実現するのに使用するための装置を提供しようとするものであり、装置は本体を含み、本体は、屋根部材と、使用時に支持表面と屋根部材との間に延び、それにより、周辺環境から実質的に隔離された内容積部を少なくとも部分的に画定する少なくとも１つの壁と、ドアを画定するカーテンであって、開位置で本体に取り付けられ、フレームに装着されたドア機構にカーテンが取り付けられることが可能であるように取外し可能であるカーテンとを有する。
【００６８】
１つの広範な形態では、本発明の態様は、隔離を実現するのに使用するための装置を提供しようとするものであり、装置は本体を含み、本体は、屋根部材と、使用時に支持表面と屋根部材との間に延び、それにより、周辺環境から実質的に隔離された内容積部を少なくとも部分的に画定する少なくとも１つの壁と、本体に結合された複数のコネクタであって、フレームに係合するように適合された複数のコネクタと、本体にわたって少なくとも部分的に延びる少なくとも１つの導体であって、導体は、複数のコネクタのうちの少なくとも２つに電気的に接続されて、電気信号が２つのコネクタおよび少なくとも１つの導体を介して伝導されることを可能にする、少なくとも１つの導体とを有する。
【００６９】
一実施形態では、装置は、折畳みされた構成と立設された構成との間で可動なフレームを含み、フレームは、いくつかの直立脚と、脚を相互連結するいくつかの横方向連結部材であって、連結部材は、収縮位置と伸展位置との間で可動なシザー・アームを含み、フレームの隣接する側面のシザー・アームは、フレームが第１の方向に延ばされ次いで第１の方向と直交する第２の方向に延ばされることが可能であるように、独立している、いくつかの横方向連結部材とを含む。
【００７０】
一実施形態では、装置は、処理デバイスを含み、処理デバイスは、フレームに本体が連結されたときに、本体上に提供された機械可読検証データを読み取り、したがって、処理デバイスが本体を検証することを可能にする。
【００７１】
一実施形態では、処理デバイスは、フレームに装着されたフィルタ・ユニット内に設けられる。
【００７２】
一実施形態では、処理デバイスは、隔離テント上に提供される視覚的マーキングを光学的に感知すること、ならびに、隔離テントに取り付けられたメモリから、コネクタを介する有線接続と、フィルタ・ユニットと隔離テントまたはフィルタ部材のいずれかとの間の結合を介する有線接続と、無線接続とのうちの少なくとも１つを介して検証データを読み出すこと、の少なくとも一方によって機械可読検証データを読み取る。
【００７３】
一実施形態では、処理デバイスは、１つまたは複数の機能部品を制御し、処理デバイスは、本体の検証に応答して機能部品を選択的に作動させる。
【００７４】
一実施形態では、機能部品は、ドアを開くドア・アクチュエータと、空気濾過システムとのうちの少なくとも１つを含む。
【００７５】
１つの広範な形態では、本発明の態様は、パッケージ内に本体を梱包する方法を提供しようとするものであり、本体は、屋根部材と、少なくとも１つの壁部材であって、屋根部材に取り付けられ、したがって、少なくとも１つの壁部材は、使用時に支持表面と屋根部材との間に延びることができ、それにより、周辺環境から実質的に隔離された内容積部を少なくとも部分的に画定する、少なくとも１つの壁部材と、本体に結合された複数のコネクタであって、フレームに係合するように適合され、屋根部材の角部付近に設けられた、複数のコネクタとを含み、方法は、第２の対向する側面が近接されるように、直立した中心の線に沿って第１の対向する側面を折り畳むことと、いずれかの順序で、第２の対向する壁部材を蛇腹状に畳むこと、および本体を長さ方向に折り畳むことを行うこととを含む。
【００７６】
一実施形態では、方法は、奇数の折り目を使用して、第２の対向する側面を蛇腹状に畳むことを含む。
【００７７】
一実施形態では、方法は、対向する前壁および後壁を折り畳んで側壁を一緒にまとめることと、側壁を蛇腹状に畳むこととを含む。
【００７８】
一実施形態では、方法は、対向する前側面および後側面を折り畳んで、前角部を一緒にまとめ、後角部を一緒にまとめることと、側壁を蛇腹状に畳むことと、左前角部および左後角部を折り重ねて、左角部を一緒にまとめ、右角部を一緒にまとめることとを含む。
【００７９】
１つの広範な形態では、本発明の態様は、本体をフレームに取り付ける方法を提供しようとするものであり、方法は、本体を収容するパッケージから複数のコネクタにアクセスすることであって、コネクタは、本体を展開すること、およびパッケージから本体を取り除くことのうちの少なくとも１つを行うことなくアクセス可能である、アクセスすることと、折畳み位置でコネクタをフレームに取り付けることと、フレームが延ばされたときに本体が展開するようにフレームを延ばすこととを含む。
【００８０】
本発明の広範な形態およびそれぞれの特徴は、併せて、交換可能に、および／または独立して使用されてよく、個々の広範な形態への言及は、限定することを意図されていないことは理解されよう。
【００８１】
ここで、添付図面を参照して本発明の様々な例および実施形態が以下に説明される。
【図面の簡単な説明】
【００８２】
【図１Ａ】隔離テントを含む隔離装置の例の概略側面図である。
【図１Ｂ】図１Ａの隔離装置の概略平面図である。
【図１Ｃ】図１Ａのコネクタの概略拡大側面図である。
【図１Ｄ】バックル・コネクタの例の概略図である。
【図２】隔離テント検証方法の例のフローチャートである。
【図３】隔離テント検証システムの例の概略図である。
【図４Ａ】図３の隔離テント検証システムを使用する隔離テント検証方法の具体例のフローチャートである。
【図４Ｂ】図３の隔離テント検証システムを使用する隔離テント検証方法の具体例のフローチャートである。
【図５Ａ】隔離テントフィルタを組み込んだ空気濾過システムの例の概略側面図である。
【図５Ｂ】図５Ａの空気濾過システムの平面図の概略拡大正面図である。
【図６Ａ】隔離を実現するのに使用するための装置の例の概略斜視図である。
【図６Ｂ】ドアが閉位置である図６Ａの装置の概略斜視図である。
【図６Ｃ】格納構成における図６Ａの装置の概略斜視図である。
【図７Ａ】立設された構成における図６Ａの装置のフレームの例の第１の概略斜視図である。
【図７Ｂ】立設された構成における図６Ａの装置のフレームの例の第２の概略斜視図である。
【図７Ｃ】図７Ｂの屋根支持部のうちの１つの概略斜視図である。
【図７Ｄ】折畳みされた構成における図７Ａのフレームの概略斜視図である。
【図７Ｅ】収縮構成における図７Ｄの屋根支持部の概略斜視図である。
【図８Ａ】図６Ａの装置の概略側面図である。
【図８Ｂ】図６Ａの装置の概略背面図である。
【図８Ｃ】図６Ａの装置の概略平面図である。
【図９Ａ】患者のベッドを隔離するために図６Ａの装置を立設する方法を示す概略図である。
【図９Ｂ】患者のベッドを隔離するために図６Ａの装置を立設する方法を示す概略図である。
【図９Ｃ】患者のベッドを隔離するために図６Ａの装置を立設する方法を示す概略図である。
【図９Ｄ】患者のベッドを隔離するために図６Ａの装置を立設する方法を示す概略図である。
【図９Ｅ】患者のベッドを隔離するために図６Ａの装置を立設する方法を示す概略図である。
【図１０Ａ】隔離テントを梱包する方法における第１のステップの例の概略図である。
【図１０Ｂ】隔離テントを梱包する方法における第１のステップの代替例の概略図である。
【図１０Ｃ】隔離テントを梱包する方法における第２のステップの例の概略図である。
【図１０Ｄ】隔離テントを梱包する方法における第３のステップの例の概略図である。
【図１０Ｅ】隔離テントを梱包する方法における第４のステップの例の概略図である。
【図１１Ａ】コネクタのさらなる例の概略側面図である。
【図１１Ｂ】図１１Ａのコネクタの概略平面図である。
【図１１Ｃ】図１１Ａのコネクタを使用して隔離テントをフレームに取り付ける際の第１の段階の概略平面図である。
【図１１Ｄ】図１１Ａのコネクタを使用して隔離テントをフレームに取り付ける際の第２の段階の概略平面図である。
【図１１Ｅ】図１１Ａのコネクタを使用して隔離テントをフレームに取り付ける際の第３の段階の概略平面図である。
【図１１Ｆ】図１１Ａのコネクタを使用して隔離テントをフレームに取り付ける際の第４の段階の概略平面図である。
【図１１Ｇ】図１１Ａのコネクタを使用してフレームに対して隔離テントを解放するための解放機構の概略平面図である。
【図１２Ａ】フィルタ部材の例の概略平面図である。
【図１２Ｂ】図１２Ａのフィルタ部材の概略正面図である。
【図１２Ｃ】図１２Ａのフィルタ部材の概略側面図である。
【図１２Ｄ】図１２Ａのフィルタ部材のコネクタの概略拡大側面図である。
【図１２Ｅ】追加の２次的フィルタ部材を有する図１２Ａのフィルタ部材の概略側面図である。
【図１２Ｆ】フィルタ部材および図１２Ｅの２次的フィルタ部材のコネクタの概略拡大側面図である。
【図１３Ａ】第１の例示的電気接続を有するフィルタ部材を含む隔離テントの例の概略正面図である。
【図１３Ｂ】図１３Ａの隔離テントの概略平面図である。
【図１４Ａ】第２の例示的電気接続を有するフィルタ部材を含む隔離テントの例の概略正面図である。
【図１４Ｂ】図１４Ａの隔離テントの概略平面図である。
【図１５Ａ】第３の例示的電気接続を有するフィルタ部材を含む隔離テントの例の概略正面図である。
【図１５Ｂ】図１５Ａの隔離テントの概略平面図である。
【図１６Ａ】第４の例示的電気接続を有するフィルタ部材を含む隔離テントの例の概略正面図である。
【図１６Ｂ】図１６Ａの隔離テントの概略平面図である。
【発明を実施するための形態】
【００８３】
容積を隔離するために、たとえば、患者および／または物品などの対象を隔離するために使用される隔離装置の例が、図６Ａから６Ｃ、図７Ａから７Ｅ、図８Ａから８Ｃ、および図９Ａから９Ｅを参照してここで説明される。
【００８４】
以下の説明から理解されるように、装置は、隔離テントを含んでおり、参照により本明細書にその内容が組み込まれるＷＯ２０１４／０１９０２２の開示に基づく次の例から隔離テントの動作の文脈が理解された後、隔離テントのさらなる特徴が以下により詳細に説明される。
【００８５】
この例では、装置６００は、折畳みされた構成と立設された構成との間で使用時に可動であるフレーム６１０を含む。本体６２０を有する隔離テントがフレーム６１０によって支持されることにより、本体６２０は、フレーム６１０が立設された構成であるとき、周辺環境から実質的に隔離され得る内容積部６３０を画定するようにされる。内容積部は、ベッド６３１上の患者、または滅菌された機器を含む他の機器などの対象を収容し、それにより、この対象を周辺環境から隔離することができる。これは、隔離された患者からの感染の広がりを防止するために使用されることができ、または機器などを滅菌するために装置が使用されている場合に環境内の人々のＵＶ放射などの被爆を防止するために使用されることができる。
【００８６】
装置６００はまた、フレーム６１０によって支持された、特にフレーム６１０に対しまたはフレーム６１０内に取り付けられたドア・アクチュエータ６４０を含むことができる。ドア・アクチュエータ６４０は、図６Ａおよび図６Ｂにそれぞれ示されるように、開位置と閉位置との間でドア６４２を動かすためのものである。閉位置ではドアが内部容積部を閉鎖し、開位置ではドアが内部容積部へのアクセスを提供し、それにより、必要なときに医師などのユーザが対象にアクセスすることを可能にし、その他のときは対象を隔離する。この例では、ドア・アクチュエータは、たとえば電気モータなどを使用してドアの開閉を制御する電子制御システムに接続されたボタンの形態であり、それにより、内部容積部６３０へのハンズフリー・アクセスを容易にする。同様のボタンが内部容積部内からドア６４２を開閉するためにフレームの内側に設けられてもよいことは理解されよう。しかしながら、この装置構成は必須ではなく、ケーブル駆動フット・ペダルのような他の装置構成が使用されてもよい。
【００８７】
適切な本体６２０の使用は、感染率をかなり低下させるために十分な程度の隔離が実現されることを可能にできる。たとえば、装置は密封され得るが、これは必須でなく、より典型的には、装置は、固体、接触、流体、および液滴による汚染物質のうちの少なくとも１つによる汚染に対する障壁を単に提供するのを助けるように設計される。この一環として、本体の下縁は、装置が配置される床などの表面と係合するように適合され、それにより、本体と床との間を汚染物質が通過することを防止してもよい。これは、以下により詳細に説明されるように、様々な技法を使用して、たとえば接着材の配置の使用によって達成され得るが、代わりに、重み付けされた配置または同様のものが使用されてもよい
さらに、装置は、隔離された対象が感染性であるかまたは感染性の疑いがある個人への警告として作用し、それにより、手洗いなどの衛生要件に関して個人に思い出させる働きをし、これは、さらに接触感染に対する保護に役立つ。したがって、装置６００は、密封シーリングなしであっても、たとえば接触または液滴感染による感染の機会をかなり減らすように動作する。
【００８８】
上記の装置構成は、耐水性布やプラスチックシートなどの適切な柔軟なシート材料で本体が形成されることを可能にし、これは、本体が軽量で安価に製造され得ることを意味し、本体が使用後に廃棄されることを可能にする。使い捨て可能な本体の使用は、感染の発生を減らすことをさらに助長することができる。しかしながら、たとえばＵＶ滅菌を行うときに、使い捨てでないテント本体が使用されてよいことは理解されよう。
【００８９】
さらに、適切なドアおよびドア・アクチュエータの使用は、ユーザがドアに触れることを必要とせずに出入りを可能にすることができ、これは、感染性物質の拡散を減らすことをさらに支援することができる。たとえば、これは、カーテン・ドアのハンズ・フリー操作を可能にすることができ、ユーザがドアに触れる必要なしにドアを開閉することを可能にする。
【００９０】
さらに、システムは、消毒目的のために使用されることができ、たとえば、機器またはベッドなどが内部容積部内に提供され、ＵＶ放射または同様のものを使用して消毒されることを可能にする。
【００９１】
さらに、折畳みされた構成において、フレームはトロリーとして機能することができ、物品および装置６００がその上に格納されて、必要に応じて輸送されることを可能にし、たとえば、必要に応じて医療施設の周辺でこれが移動されることを可能にする。
【００９２】
次に、いくつかのさらなる特徴が説明される。
【００９３】
装置６００は、パネル６５１、６５２を含み、パネル６５１、６５２は、それらに組み込まれた１つまたは複数の取付け具を含む。第１のパネル６５１は、６５１．１、６５１．２、６５１．３、６５１．４、６５１．５に概略的に示される、医療物品を受け入れるための少なくとも１つの取付け部を含み、第２のパネル６５２は、掲示板として機能することができ、また、医療物品または機器を受け入れるための取付け具（図示せず）を含むこともできる。
【００９４】
装置６００が動作構成であるとき、パネル６５１、６５２はドアの両側に配置され、それにより、格納された物品および掲示板上の情報に対する容易なアクセスをユーザに提供する。フレーム６１０が図６Ｃに示される折畳みされた構成であるとき、パネルは、フレーム６１０の外側に提供されることができ、それにより、アイテムがパネル上に装着されて保持されることを可能にする。これは、装置がトロリーとして機能することを可能にして、物品および装置６００がその上に格納され、必要に応じて医療施設の周辺で移動されることを可能にする。さらに、この例では、第１パネル６５１は、フレーム６１０が上げられたときに第１パネル６５１が下げ位置に留まるように、フレーム６１０に取り付けられ、また、フレーム６１０が上げられたときに通知パネル６５２が下げ位置に留まるように、同様の配置が通知パネル６５２にも使用されてよい。これは、持ち上げられる必要のあるフレーム６１０の重さを減少させるとともに、より低い重心を維持する助けとなって安定性を改善することが理解されよう。
【００９５】
次に、図７Ａから図７Ｅを参照してフレーム６１０の例がより詳細に説明される。
【００９６】
この例では、フレーム６１０は、３つの横方向連結部材７２１、７２２、７２３によって相互連結された５つの直立脚７０１、７０２、７０３、７０４、７０５、ならびに使用時にカーテン６４２を支持するようにフレーム６１０の前にわたって延びる折畳み可能なカーテン・レール７２５を含む。脚７０５は、脚７０４、７０５の間に横方向に延びる第１のパネル６５１および２次パネル７０８を介して、脚７０４に結合される。脚７０５は、脚７０２、７０４の間に位置付けられ、フレーム６１０の前にわたって部分的に延び、それにより、ドア６４２の追加の支持部を提供するとともに、ドア・アクチュエータ６４０を支持する。
【００９７】
脚７０１、７０２、７０３、７０４、７０５は、複数の部分７０１．１、７０１．２、７０２．１、７０２．２、７０３．１、７０３．２、７０４．１、７０４．２、７０５．１、７０５．２からなり、伸縮式であり、任意選択でバイアスされ、フレーム６１０が、たとえば図７Ａに示される上げ位置と、たとえば図７Ｄに示される下げ位置との間で動かされることを可能にする。この例では、パネル６５１は、脚７０４、７０５の下方部７０４．２、７０５．２に取り付けられ、２次パネル７０８は、脚７０４、７０５の上方部７０４．１、７０５．１に取り付けられる。この構成の結果として、医療機器を支持する第１のパネル６５１は、下げ位置のままであり、２次パネル７０８は上げられる。これは、上げられる必要のある重さを最小にするとともに、脚７０４、７０５がそれらの長さに沿って相互連結されることを確実にし、それにより、構造的剛性を向上させる。
【００９８】
連結部材７２１、７２２、７２３は、固定および可動ブラケットを介して脚７０１、７０２、７０３に取り付けられた枢動可能に連結されたシザー・アームの対を含み、たとえば図７Ａに示される伸展位置とたとえば図７Ｄに示される収縮位置との間でシザー・アームが動くことを可能にする。脚７０１、７０３は、収縮位置にあるとき、連結部材７２２の端部を受け入れるためのシュラウド７０１．４、７０１．５、７０３．４、７０３．５を含む。下方シュラウド７０３．４、７０１．４は、内部容積部６３０に出入りする空気を濾過するためのファン／フィルタ装置構成を支持してもよい。
【００９９】
しかしながら、この例では、連結部材７２１、７２２、７２３は、脚下方部分７０１．２、７０２．２、７０３．２、７０４．２、７０５．２に取り付けられていて、脚が上げ位置に上げられたときに連結部材７２１、７２２、７２３は上げられないようにされている。これは、より低い重心を維持する助けとなって使用時に追加の安定性を提供する。これにもかかわらず、本体６２０が嵌合されると、本体６２０と折畳み可能なカーテン・レール７２５との組み合わせが、フレーム６１０が十分な構造的剛性を有することを確実にするのを助けることができる。
【０１００】
一例では、フレームの隣接する側面の連結部材７２１、７２２、７２３のシザー・アームは独立しており、つまり、フレームは、直交する第１および第２の方向に独立して延ばされることができることに留意されたい。たとえば、フレームは、より詳細に後述されるように、ベッドを横切って幅方向に延ばされ、次いでベッドに沿って長さ方向に延ばされることができる。
【０１０１】
折畳み可能なカーテン・レール７２５は、典型的には、２つのレール部材７２５．１、７２５．２を含み、これらのレール部材は、フレーム６１０に、たとえば、脚７０２、７０５にヒンジ結合された第１の端部と、７２５．３によって相互に連結された第２の端部とを有する。レールは、ケーブル開／閉機構を組み込むことができるが、代替的装置構成が使用されてもよい。そのような代替的装置構成を含むカーテン・レールの具体例が以下により詳細に説明される。
【０１０２】
フレーム６１０は、典型的には、それぞれの脚７０１、７０２、７０３、７０４、７０５に装着された１つまたは複数の車輪７１１、７１２、７１３、７１４、７１５のグループを含み、それは、ロック可能なキャスタ・ホイールなどの任意の適切な形態とすることができ、フレーム６１０が可動または固定的に表面上に支持されることを可能にする。
【０１０３】
この例では、脚７０１、７０２、７０３、７０４は、使用時に本体６２０の屋根を支持するために屋根支持部７０１．６、７０２．６、７０３．６、７０４．６を受け入れる上部片７０１．３、７０２．３、７０３．３、７０４．３を含む。屋根支持部７０１．６、７０２．６、７０３．６、７０４．６は、典型的には屋根の一部を形成する。フレームが折畳みされた構成であるときに本体が設置された場合、屋根支持部は、図７Ｄおよび図７Ｅに示されるように、収縮位置に向かって枢動可能に付勢されることになる。しかしながら、フレームが図７Ｂおよび図７Ｃに示されている立設された構成であるとき、本体が屋根支持部に力を加え、それにより、示されるように屋根支持部が上げ位置へと枢動する。屋根支持部を収縮位置に向けて付勢することは、使用時に屋根に張力をかけ、したがって屋根を支持するとともに、屋根を上げて内容積部の高さを増大させることは理解されよう。しかしながら、以下の説明から、屋根支持部は必須とされず、これらは任意の特徴であることが理解されよう。
【０１０４】
これに関して、図８Ａから図８Ｃに示されるように、本体６２０は、典型的には、屋根部材８０３と、装置６００が動作構成であるときに支持表面と屋根部材８０３との間に延びるいくつかの壁８０１、８０２とを含む。
【０１０５】
この例では、屋根支持部７０１．６、７０２．６、７０３．６、７０４．６が、たとえば留め具などを使用して、図示されるように屋根８０３の角部に取り付けられる。しかしながら、代替的に他の装置構成が使用され、たとえば、屋根支持部をフレームに装着し、そして使用時にルーフに取除き可能に取り付けてもよいことは理解されよう。本体６２０がフレーム６１０に備え付けられると、屋根支持部７０１．６、７０２．６、７０３．６、７０４．６は、上部片７０１．３、７０２．３、７０３．３、７０４．３に結合され、屋根支持部７０１．６、７０２．６、７０３．６、７０４．６が付勢され、それにより、立設された構成に屋根があるときに、屋根に張力をかけて屋根を上げ、したがって屋根を支持する助けとなる。
【０１０６】
次に、図９Ａから図９Ｅを参照して、装置６００を立設してベッドを隔離するためのプロセスが説明される。
【０１０７】
ベッド６３１は、最初に壁９００から外側へ移動される。本体６２０は、屋根支持部７０１．６、７０２．６、７０３．６、７０４．６を上部片７０１．３、７０２．３、７０３．３、７０４．３に挿入することによってフレームに結合される。装置６００は、ベッドに隣接して壁９００の近くに移動され、ベッドから最も外側の車輪または任意選択で最も外側の後輪７１１のみがロックされ、脚７０１、７０２、７０３、７０４、７０５が矢印９０１で示されるように上げられる。
【０１０８】
次いで、脚７０１、７０２を引っ張ることによって、フレーム６１０が矢印９０２の方向に延ばされて、ベッド６３１と壁９００との間にフレーム６１０が延びる。連結部材７２３がベッド６３１と壁９００との間の位置することができるように、まずフレーム６１０がベッドの後側で延ばされる必要があることは理解されよう。このプロセス中に、カーテン・レール７２５のヒンジが外れ、フレームが完全に延ばされると、ユーザは連結部材７２３を確認することができ、９０３に示されるように、カーテン・レール７２５は完全に延ばされ、所定の位置にロックされる。本体６２０が備え付けられた場合、本体６２０は、矢印９０４で示されるように展開されて、ベッド６３１と壁９００との間を通過する。掲示板パネル６５２が使用される場合、それは、矢印９０５で示されるように外方へ揺動されることも可能である。次に、必要であれば、矢印９０６で示されるように、車輪７１２、７１４、７１５がロック解除されてフレーム６１０がベッド６３１上で移動され、これにより、連結部材７２１、７２３が完全に延ばされて所定の位置でロックされる。
【０１０９】
図９Ｅの点線９０８で示されるように、側壁および後壁８０１、８０２が、両面または他の形式で取り付けられる接着テープを用いて床に取り付けられる前に、本体６２０は、脚７０１、７０２、７０３、７０４に対して固定されることができる。一例では、接着テープは、製造中に本体の壁に固着されるので、ユーザは単にテープからカバー層を取り除き、テープを床に直接付ける必要がある。この後、カーテン６４２はカーテン・レール７２５に取り付けられ、必要な機器（たとえば壁酸素（ｗａｌｌ  ｏｘｙｇｅｎ））９２０への接続が、本体６２０の後壁における穿孔を使用して作られた開口を通して利用され得る。
【０１１０】
上記のプロセスはまた、フレーム６１０がベッド６３１上に立設されることを可能にし、必要に応じて、患者はその場に留まる。これは、患者を動かす必要性を回避するものであり、患者を動かすことは、近くの他の個人への感染のリスクを増大させ、また、患者の健康に潜在的に悪影響を及ぼす可能性がある。
【０１１１】
次に、本発明の異なる態様を包含する隔離テントのいくつかの異なる実施形態が説明される。これらの態様のそれぞれは、典型的には、ここでさらに詳細に説明される図１Ａおよび図１Ｂに示される隔離テントの一部として実装される。
【０１１２】
この例では、隔離テントは、本体１００を含み、本体１００は、屋根部材１０４と、使用時に支持表面（図示せず）と屋根部材１０４との間に延び、それにより、周辺環境から実質的に隔離された内容積部を少なくとも部分的に画定する少なくとも１つの壁とを有する。この例では、隔離テント１００は、２つの平行な側壁１０３によって相互連結された実質的に平行の前壁および後壁１０１、１０２を持つ、実質的に直方体の形状を有する。図８Ａから図８Ｃに関連して上述された例示的配置と同様に、前壁１０１は、内容積部へのアクセスを提供するドアを含んでよく、または開口を含んでよく、ドアは別個に提供されてよい。この後者の場合、前壁１０１は少なくとも部分的に開口した壁であってよく、壁という用語の使用は、これに関して限定することが意図されていないことは理解されよう。この配置は、単に例示を目的とするものであり、実際には他の形状を使用されてよいことも理解されよう。
【０１１３】
隔離テントは、本体に結合された複数のコネクタ１２２をさらに含む。複数のコネクタは、フレーム１１０に係合する、たとえば、本体をフレームに物理的に取り付けるように適合される。フレーム１１０は、任意の適切な形態をとり得るが、典型的には、隔離テントのそれぞれの角部を支持するための少なくとも４つの直立脚１１１を含む。１つの特定の例では、フレーム１１０は、図７Ａから図７Ｅに関連して上述されたフレームと同様であり、折畳みされた構成と立設された構成との間で可動であり、フレームは、いくつかの直立脚と、脚を相互連結するいくつかの横方向連結部材とを含み、連結部材は、収縮位置と伸展位置との間で可動なシザー・アームを含み、フレームの隣接する側面のシザー・アームは、フレームが第１の方向に延ばされ次いで第１の方向と直交する第２の方向に延ばされることが可能であるように、独立している。
【０１１４】
隔離テント本体は、典型的には、柔軟な通気性シート材料から少なくとも部分的に作られた使い捨ての単回使用の本体であるが、他の適切な材料が使用されてもよい。一例では、屋根部材は、柔軟で通気性があるが水不溶性のシート材料を備え、テントの内外への空気の流れを可能にするが、これは必須ではなく他の構成が使用されてもよく、たとえば、特定のフィルタなどを介して空気の流れが発生することが可能である。壁部材は、典型的には、液体が壁部材を通過するのを防止する耐水性シート材料であるが、やはり、他の適切な装置構成が使用されてもよい。本体は、窓を提供する１つまたは複数の透明なパネルを組み込んでもよいが、これは必須ではない。本体は、典型的には、使用時にフレームの内側に取除き可能に装着され、本体１００がコネクタ１２２によって吊るされることを可能にするが、任意の適切な装置構成が使用されてよい。
【０１１５】
図１Ａから図１Ｄにさらに詳細に示される本発明の第１の態様では、隔離テントは、１つまたは複数の電気部品を含み、例示のために、３つの異なる例示的電気部品１３０．１、１３０．２、１３０．３が示されている。電気部品は、任意の適切な形態であってよく、例として、隔離テント本体１００を少なくとも部分的に横切る電気信号を伝導するための電気導体１３０．１、データを記憶するためのデータ記憶デバイス１３０．２、または、屋根に装着されたＬＥＤストリップなどの照明要素１３０．３などを含む。しかしながら、他の幅広い範囲の電気部品、たとえば、センサやインジケータなどが隔離テント本体に組み込まれてよく、例は単に例示のために与えられ、限定することは意図されていないことは、以下の説明から理解されよう。電気部品１３０は、以下により詳細に説明されるように、本体１００に取り付けられまたは組み込まれてよく、一例では、コネクタ１２２の一部を形成してよい。
【０１１６】
使用時に、コネクタ１２２は、電気信号が電気部品へ転送されるまたは電気部品から転送されることを可能にするために使用される。典型的には、これは、フレーム１１０内に設けられた少なくとも１つの電気接続１３１を有することによって達成され、たとえば、電気接続１３１は脚１１１のうちの１つを通って延び、これにより、信号がコネクタ１２２に送達され、次いで内部電気接続１３１．１、１３１．２を介して、テント本体に組み込まれた電気部品に転送されることを可能になる。
【０１１７】
電気信号は、任意の適切な形態であってよく、フレーム１１０に任意選択で装着される変圧器などの電源１３２から得られてよい低電圧電力信号などの電力信号を含み得る。しかしながら、代替的に、信号は、後述されるように、処理デバイスもしくは同様のものから受信された通信信号、または電気部品の動作を制御するために使用される制御信号であってもよい。
【０１１８】
したがって、上述の装置構成は、信号を伝導すること、またはデータの記憶およびダウンロードを可能にすることなどの追加の機能性を提供するために使用されることができる、統合された電気部品を有する隔離テントを含む。隔離テント本体をフレームに物理的に取り付けるために使用されるコネクタは、電気的接続性を提供するためにさらに使用され、それにより、図９Ａから図９Ｅに関連して上述されたように、隔離装置を配備する通常のプロセスの一部として隔離テント本体がフレームに取り付けられるとき、フレーム内の対応する部品または他の回路構成に部品が自動的に接続されることを可能にする。したがって、絶縁テント本体をフレームに物理的に連結するために使用されるのと同じコネクタを介して電気接続が提供されることを可能にすることにより、必要とされる機能性が実現されるようにしながら、隔離システムをセットアップするのに必要とされるステップを減少させる。
【０１１９】
次に、本発明の第１の態様と関連付けられたいくつかのさらなる特徴が説明される。
【０１２０】
一例では、コネクタは、コネクタ・システムの一部を形成し、コネクタは、フレームに取り付けられまたはフレームの一部を形成する対応するフレーム・コネクタ１２１に対して物理的に結合するように適合されている。したがって、フレームは、隔離テント本体１００に装着された対応するコネクタ１２２に取り付けし、それにより隔離テントをフレームに物理的に固定するフレーム・コネクタ１２１を含むことができる。コネクタ１２１、１２２は、任意の適切な形態であってよく、典型的には、図１Ｄに示されるように、プラグおよびソケットのような相補的コネクタまたはバックル装置構成を含む。したがって、コネクタは、摩擦嵌め、フックおよびアイ、クリップ嵌め、または締まり嵌めなどの任意の適切な連結機構を使用して相互連結され得ることは理解されよう。コネクタは、好ましい実装形態に応じて、フレームおよびテント本体に直接取り付けられてよく、またはストラップなどの中間部材を介して取り付けられてよい。
【０１２１】
一例では、コネクタは、適切な形状のコネクタが提供された場合にのみそれらが物理的に結合されることが可能なように、相補的形状を有する。これは、コネクタを物理的に結合するために、コネクタがフレーム・コネクタ内に挿入可能であってフレーム・コネクタ内で回される必要があるように、ロックおよびキータイプの構成と同様の方法で機能することができる。これは、不適切な形状のコネクタを有するテント本体が使用されるのを防止する。同様に、コネクタの各々にコネクタのそれぞれの構成が使用されてよく、それにより、テント本体が望ましい方向付けでフレームに取り付けられることを確実にする。代替的に、コネクタの色コーディングなどの視覚表示が、正しい方向付けを補助するために使用されてよい。
【０１２２】
別の例では、コネクタはピンを含み、フレーム・コネクタはソケットを含み、ピンは、フレームにフレーム・コネクタを結合するようにソケットに挿入される。この例では、ソケットは、ピンを固定し、それにより、フレーム・コネクタに結合されたコネクタを保持するためのキャッチと、ピンを選択的に解放し、それにより、使用後にフレームからテントが分離されるのを可能にするためのボタンなどの解放機構とを含む。
【０１２３】
フレーム・コネクタ１２１は、フレーム中を延びるワイヤなどの電気コネクタ１３１を含み、それにより、フレーム・コネクタ１２１を、フレーム１１０に装着されたそれぞれの電気部品、たとえば、電源１３２、ドア・アクチュエータ・システム１３３、または処理デバイスなどに対して電気的に接続されることを可能にする。これは、フレームに取り付けられた電気部品と、隔離テント本体に組み込まれた電気部品との間に接続が提供されることを可能にする。
【０１２４】
一例では、電気部品は、本体にわたって少なくとも部分的に延びる少なくとも１つの導体１３０．１であり、導体は、コネクタ１２２のうちの少なくとも１つに電気的に接続されて、電気信号がコネクタ１２２および少なくとも１つの導体１３０．１を介して伝導されることを可能にする。たとえば、導体は、本体の両側でコネクタ１２２に電気的に接続され、電気信号が本体を横切って転送されることを可能にし、たとえば、フレームの一方の側面から他方の側面に送信されることを可能にする。信号の性質は、好ましい実装形態に応じて異なり、データ通信信号または電力供給信号などを含み得る。たとえば、フレーム・コネクタ１２１の１つが、フレーム１１０の後側に装着された電源１３２に電気的に接続され、別のフレーム・コネクタ１２１が、フレーム１１０の前側に装着された電気機器１３３に電気的に接続され、したがって、電気機器は電源によって電力供給されることができる。これは、フレームを横切って信号を送信することがフレームの構成を考慮して難しくなり得るとき、特に直立脚を相互接続するためにシザー・アームが使用される場合に、特に有益である。
【０１２５】
導体１３０．１または使用される任意の導体の性質は、好ましい実装形態に応じて異なる。たとえば、導体は、本体に埋め込まれまたは取り付けられた金属ワイヤなどのワイヤ、本体の表面に設けられた銀メッキされたナイロン導体、本体の表面に設けられた銀メッキされたナノワイヤ導体、本体にプリントまたは他の形式で付与された導電性トラック、たとえば、本体にプリント、縫い付け、埋め込み、または接着された導電性材料を含む。一例では、導体１３０．１は、壁と屋根との間の継ぎ目に少なくとも部分的に沿って延びる。本体のこの領域は、典型的には、より頑強であり、これは、導体の完全性を保証する、特に隔離テントの立設中に導体が損傷されないことを保証するのを助けることができる。
【０１２６】
別の例では、電気部品は、内容積部を照明するための照明１３０．３を含む。照明は、任意の適切な形態であってよく、ＬＥＤストリップなどを含んでよく、これらは、任意選択で、屋根１０４の下側にわたって、および／または屋根と壁との間の継ぎ目に沿って延びる。
【０１２７】
別の例では、電気部品は、メモリを含むタグを含み、データがそれに記憶され、テントがフレームに結合されたときに読み出されることを可能にする。タグは、テント本体の屋根および／または側壁内に装着されることができ、コネクタ１２２のうちの１つに組み込まれてよい。これは、テントに関する情報を読み出し、たとえば隔離装置の動作を制御するために使用され得る。代替的に、これは、検証プロセスの一部として使用されることができ、そのようなプロセスの例が、次にさらに詳細に説明される。
【０１２８】
特に、本発明の第２の態様では、使用前または使用中に隔離テント本体を検証するために使用される検証プロセスを提供することができる。検証プロセスは、隔離テント本体が真正の製品であり、したがって特定のフレームと使用するのに適し、さらに必要とされる程度の隔離を実現できることを保証するために使用されることができる。検証プロセスは、いくつかの方法で使用され得る隔離テント使用状況を追跡するために使用されることもできる。たとえば、これは、隔離テント本体が再使用されないことを保証するために使用されてよく、再使用は、対象の汚染などに関する問題をもたらす可能性がある。これを実装する際、電源切断の場合にテントが使用可能であることを保証するために、規則が適用される必要があり得ることは理解されよう。追跡はまた、隔離テント本体が使用される時間の長さを制限するために使用されてもよく、たとえば、テント本体が３０日毎などに交換されることを保証し、それにより、感染性材料の蓄積などを防止する。
【０１２９】
次に、検証プロセスの一例が図２を参照して説明される。
【０１３０】
例示のため、プロセスは、１つまたは複数の電子処理デバイスを使用して少なくとも部分的に実行されることが想定され、電子処理デバイスは、フレームに統合されることができ、かつ／または任意選択で遠隔で提供され必要に応じて隔離装置と通信することができる１つまたは複数の処理システムの一部を任意選択で形成する。
【０１３１】
この例では、ステップ２００で、検証データはテントから読み取られる。検証データの性質、および検証データが読み取られる様式は、好ましい実装形態に応じて異なり得る。一例では、検証データは、たとえば、テント本体上にプリントまたは他の形式で表示されるＱＲコードなどの２Ｄコードの一部として、隔離テント本体上に表示されることができ、２Ｄコードは、適切な撮像デバイスを使用して読み取られる。代替的に、検証データは、隔離テント本体に取り付けられまたは埋め込まれたタグ内に提供されたメモリに記憶されることができ、次いで、これは適切なタグ読取り装置によって読み出される。一例では、これは、無線で達成され得るが、代替的に、これは、本発明の第１の態様に関連して上述されたように、たとえばコネクタ１２２のうちの１つを介して確立された、有線接続を介して行われてもよい。
【０１３２】
ステップ２０５で、検証データは、本体を検証するために使用される。検証プロセスの性質は、好ましい実装形態に応じて異なり、検証データが不正に作成されおよび／または別のテント本体からコピーされるのを防止するために、様々なセキュリティ・プロトコルを含み得る。
【０１３３】
たとえば、各隔離テント本体は、一意の識別子を割り当てられてよく、一意の識別子は、これが真正であること、および任意選択でこれが特定の隔離テント本体に割り当てられた識別子であることを保証するためにチェックされる。加えておよび／または代わりに、これは、暗号鍵または他の復号機構を使用して、メッセージを認証すること、特に、メッセージが隔離テント本体の正当な供給業者によって作成されたことを保証することを含んでもよい。たとえば、テント識別子などの情報を含むメッセージが、供給業者のプライベート鍵を使用して暗号化されてテント本体のメモリに記憶されてよい。次いで、処理デバイスは、暗号化メッセージを公開鍵を用いて復号し、メッセージが期待された形態のものであるかを評価することによって、暗号化メッセージを確認し、暗号化されたテント識別子が暗号化されていないテント識別子に合致することをチェックすることを試みることができる。検証プロセスはまた、たとえば、隔離テント識別子を以前に使用された識別子のリストおよびテント本体の作成の既知の日付と比較することによって、隔離テント本体が以前に使用されていないこと、または設定された使用可能期限を超えて失効していないことを保証することを含んでもよい。検証プロセスの例は、以下により詳細に説明される。
【０１３４】
ステップ２１０で、１つまたは複数の処理デバイスは、隔離テント本体が検証されたかどうかを決定し、検証された場合、隔離装置に関連付けられた１つまたは複数の部品がステップ２１５で作動されることが可能である。たとえば、このプロセスは、ドア・アクチュエータ、電源、もしくは空気フィルタなどのようなフレームに装着された部品を作動させること、および／または照明などのような隔離テント本体の一部を形成する部品を作動させることを含むことができる。これは、すべての意図された機能性で隔離装置が機能することを可能にする。
【０１３５】
隔離テント本体が検証されない場合、典型的には部品は作動されず、それにより、隔離装置によって提供される機能性を少なくとも低減させる。これは、たとえば、フレームにおけるロック機構を無効にし、それにより装置の適正な立設を防止することによって、または電源もしくは空気フィルタなどの補助部品を無効にすることによって、装置の使用を不可能にすることから拡張され得る。
【０１３６】
加えておよび／または代わりに、検証の失敗の通知がステップ２２０で生成されてよく、これは、たとえば、処理デバイスにより生成される視覚的もしくは音響的通知を通してローカルに提供され、または処理デバイスによって遠隔処理システムへ通知を転送させることによってリモートで提供される。これは、医療従事者もしくは医療施設の管理者および／または隔離装置の供給業者に警告して、検証されていないテント本体を使用する試みがなされたことを彼らに通知するために使用され得る。
【０１３７】
したがって、これは、隔離テント本体を検証する機構を提供して、たとえば、品質要件が満たされるのを保証するために重要である、隔離テント本体が真正の隔離テント本体であること、および／または隔離テント本体がフレームと一緒に正しく機能することを保証し、それにより、適切な隔離を提供することは理解されよう。これは、健康被害をもたらし得る隔離テント本体の再使用を防止することもできる。したがって、検証プロセスは、本体の少なくとも１つが現在のフレームと共に使用するのに適切な本体であること、本体が有効期限、貯蔵寿命、もしくは定義された使用期間を超えていないこと、および／または本体が以前に使用されていないことを確認するために本体を検証するために使用されることができる。
【０１３８】
次に、第２の態様に関連付けられたいくつかのさらなる特徴が説明される。
【０１３９】
一例では、検証プロセスは、第１の態様に従って、コネクタを介して処理デバイスに任意選択で接続され得る、隔離テント本体の一部として提供される電気部品の使用を含む。この例では、電気部品は、検証データを記憶するメモリを含み、検証データは、フレームに本体が連結されたときに処理デバイスによって読み出され、したがって、処理デバイスが本体を検証することを可能にする。
【０１４０】
検証データを記憶するためのメモリの使用に加えておよび／または代えて、隔離テント本体は、別の方法で提供される機械可読検証データを含むことができる。これは、たとえば、隔離テント本体上にプリントされまたは他の形式で提示される機械可読コードを使用すること、たとえば、視覚的マーキング、またはＲＦＩＤタグなどの遠隔可読データ・ストアなどを使用することを含んでよい。やはり、検証データは、有線または無線接続を使用して処理デバイスによって読み取られることができる。たとえば、これは、スキャナまたは他の適切な撮像デバイスまたは無線ＲＦＩＤタグ読取り装置などを使用することを含んでよく、それにより、本体がフレームに接続されたときに符号化データが読み取られることができ、処理デバイスが本体を検証することを可能にする。
【０１４１】
したがって、検証データは、隔離テント・コネクタにおける電気接続を介して処理デバイスに電気的に接続された可読メモリに記憶されてよく、または代替的に、隔離テント本体もしくは統合されたＲＦＩＤタグ上に提供され、必要に応じて離れて読み取られてよいことは理解されよう。
【０１４２】
これらの例では、隔離装置はまた、処理デバイスを含むことができ、処理デバイスは、フレームに本体が連結されたときに、本体上に提供された機械可読検証データを読み取り、したがって、処理デバイスが本体を検証することを可能にする。処理デバイスは、１つまたは複数の機能部品を制御するために使用されることができ、処理デバイスは、本体の検証に応答して機能部品を選択的に作動させる。機能部品は、ドアを開くドア・アクチュエータと空気濾過システムとのうちの任意の１つまたは複数を含み得る。これは、隔離テント本体が検証されない場合に機能部品の動作を防止するために使用されることができる。
【０１４３】
処理デバイスは、任意の適切な形態であってよく、マイクロ・プロセッサ、マイクロチップ・プロセッサ、論理ゲート構成、任意選択でＦＰＧＡ（フィールド・プログラマブル・ゲート・アレイ）などの論理の実装に関連付けられたファームウェア、または他の任意の電子デバイス、システム、もしくは装置構成を含み得る。一例では、処理デバイスは、制御装置の一部を形成し、適切にプログラムされたコンピュータ・システムなどのような処理システムを含み、またはそれに結合されてよい。
【０１４４】
処理デバイスは、フレームに対して遠隔で提供され、またはフレームに装着されもしくはフレーム内に装着され得る。１つの具体例では、処理デバイスは、図５Ａおよび図５Ｂに関連して以下により詳細に説明されるように、フレームに装着されたフィルタ・ユニット内に設けられる。この例では、処理デバイスは、フィルタ・ユニットと隔離テントまたはフィルタ部材のいずれかとの間の結合を介する有線接続を介して、機械可読検証データを読み取ることができるが、他の構成が使用されてもよく、たとえば、検証データを、無線でまたは図１Ａおよび図１Ｂに関連して上述されたコネクタを介して読み取ることは理解されよう。
【０１４５】
別の例では、メモリは、書き込み可能とすることができ、したがって、検証データが使用中に更新されることを可能にし、たとえば、隔離テント本体の使用の時間および日付を示すために、または隔離テント本体のその後の再使用を防止するために検証を更新する。
【０１４６】
典型的には、検証データは、１つまたは複数のセキュリティ特徴を含むことができ、デジタル署名、一意の参照番号、および／または暗号化されたデータを含んでよい。したがって、処理デバイスは、データを読み出すことができ、デジタル署名を検証し、および／または適切な解読プロセスを使用して検証データが解読できることを確認することができる。
【０１４７】
別の例では、処理デバイスは、少なくとも部分的に遠隔サーバまたは他のコンピュータ・システムと通信することによって、検証プロセスを実行するために必要とされることがある。たとえば、これは、一意のテント識別子を調べ、これが以前に使用されていない正当な識別子であることを保証するために使用され得る。
【０１４８】
次に、図３を参照して検証システムの具体例が説明される。
【０１４９】
この例では、システムは、隔離装置のフレーム１１０に取り付けられた処理システム３１０と、隔離テント本体１００に取り付けられたタグ３２０とを含み、処理システム３１０とタグ３２０は、有線または無線接続を介して通信することができ、それにより、検証データが読み出されることを可能にする。
【０１５０】
処理システム３１０は、任意の適切な形態であってよいが、典型的には、少なくとも１つのマイクロ・プロセッサ３１１と、メモリ３１２と、任意選択の入力／出力デバイス３１３、たとえば入力ボタンおよび／もしくはディスプレイと、図示されるようにバス３１５を介して相互接続された外部インターフェース３１４とを含む。この例では、外部インターフェース３１４は、周辺装置、たとえば、通信ネットワーク３４０、タグ３２０、または隔離装置の一部を形成する他の電気機器などに対して、処理システム３１０を接続するために利用され得る。単一の外部インターフェース３１４が示されているが、これは単に例示のためであり、実際には、様々な方法（たとえば、イーサネット、シリアル、ＵＳＢ、または無線など）を使用する複数のインターフェースが提供されてよい。
【０１５１】
使用の際、マイクロ・プロセッサ３１１は、メモリ３１２に記憶されたアプリケーション・ソフトウェアの形態の命令を実行して、必要とされるプロセスが行われることを可能にする。アプリケーション・ソフトウェアは、１つまたは複数のソフトウェア・モジュールを含むことができ、オペレーティング・システム環境などのような適切な実行環境で実行され得る。
【０１５２】
したがって、処理システム３１０は、任意の適切な処理システムから形成されてよく、任意の電子処理デバイス、たとえば、マイクロ・プロセッサ、マイクロチップ・プロセッサ、論理ゲート構成、任意選択でＦＰＧＡ（フィールド・プログラマブル・ゲート・アレイ）などの論理の実装に関連付けられたファームウェア、または他の任意の電子デバイス、システム、もしくは装置構成を含み得ることは理解されよう。１つの特定の例では、処理デバイスは、空気濾過システム、ドア・アクチュエータ、または電源などを含む組み込まれたシステムを制御するために動作する、隔離装置のための制御システムの一部である。
【０１５３】
タグ３２０は、典型的には、プロセッサ３２１、メモリ３２２、およびインターフェース３２３を含み、それらは、アンテナ（図示せず）に接続され、または、処理システム３１０との有線通信を可能にする有線接続を介してコネクタ１２２に接続され得る。タグはまた、電源を含んでよく、または代替的に、これは、有線接続もしくは誘導結合などを介して処理システムから受け取られる電力によって電力供給されてよい。一例では、タグは、ＢｌｕｅｔｏｏｔｈまたはＲＦＩＤタグであるが、これは必須ではなく、任意の適切なタグが使用されてよい。
【０１５４】
処理システム３１０は、インターネットおよび／もしくはいくつかのローカル・エリア・ネットワーク（ＬＡＮ）などの１つまたは複数の通信ネットワーク３４０を介して、サーバなどの１つまたは複数の遠隔コンピュータ・システム３３０に結合されることもでき、それにより、以下により詳細に説明されるように、コンピュータ・システムが検証プロセスに参加することを可能にする。任意の数の処理システム３１０およびコンピュータ・システム３３０が提供されてよく、現在の表示は単に例示を目的としている。ネットワーク３４０の構成も単に例示を目的としており、実際には、処理システム３１０とコンピュータ・システム３３０は、任意の適切な機構を介して通信することができ、たとえば、モバイル・ネットワーク、８０２．１１ネットワークなどのプライベート・ネットワーク、インターネット、ＬＡＮ、またはＷＡＮなどを含むがこれらに限定されない有線または無線接続を介して、ならびにＢｌｕｅｔｏｏｔｈなどの直接またはポイント・ツー・ポイント接続を介して通信することができる。
【０１５５】
この例では、処理システム３１０は、検証データを読み出し、次いで、検証が実行されることを可能にするためにコンピュータ・システムと通信するように適合される。次に、この例が図４Ａおよび図４Ｂに関連してさらに詳細に説明される。
【０１５６】
これらの例のために、コンピュータ・システム３３０が、関連するアクションが実行されることを可能にするソフトウェアを実行する１つまたは複数のサーバを含み、サーバ３３０によって実行されるアクションは、アプリケーション・ソフトウェアとしてメモリに記憶された命令、および／またはＩ／Ｏデバイスを介してユーザから受け取られた入力コマンドに従って、該当するプロセッサによって実行されることが想定される。また、処理システム３１０によって実行されるアクションは、アプリケーション・ソフトウェアとしてメモリ３１２に記憶された命令、および／またはＩ／Ｏデバイス３１３を介してユーザから受け取られた入力コマンドに従って、プロセッサ３１１によって実行されることが想定される。
【０１５７】
しかしながら、以下の例のために想定された上記の構成は必須ではなく、他の多数の構成が使用され得ることは理解されよう。また、異なる処理システム間の機能性の分割が、具体的な実装形態に応じて異なり得ることも理解されよう。
【０１５８】
この例では、ステップ４００で、フレーム１１０が配備され、電源にプラグ・インされる。これにより、ステップ４０５で、処理システムが電源投入されまたはスリープ・モードから起動されることなどを通じて、処理システム３１０を作動させ、ステップ４１０で、処理システム３１０が、タグ３２０に記憶された検証データの読取りを開始することを可能にする。
【０１５９】
現在の例では、これは、典型的には、ポーリング・メッセージを生成することを含み、これにより、タグ・プロセッサ３２１が、タグ・メモリ３２２から読み出された検証データを含む応答を生成するようにする。これは、標準的なタグ読取りプロトコルに従って実行されるので、さらに詳細には説明しない。また、たとえば検証データが隔離テント本体に印刷されまたは他の形式で提供される代替的な実施形態では、代替的な読取りプロセッサが使用されてよいことは理解されよう。
【０１６０】
検証データは、典型的には、隔離テント本体に一意に関連付けられたテント識別子を示し、また典型的には、サーバ３３０に関連付けられた鍵を使用して暗号化された暗号化鍵を含む。一例では、暗号化情報は、サーバ３３０の公開／プライベート鍵ペアの秘密鍵を使用して作成された署名であり、所定の情報および隔離テント識別子を使用して作成され、それにより、暗号化情報が各隔離テント本体に対して一意であることを保証することができる。検証データは、隔離テント本体の製造中に作成され、隔離テント本体がエンド・ユーザへの配送のために出荷される前にタグに記憶されることは理解されよう。
【０１６１】
ステップ４１５で、処理システム３１０は、検証要求を生成し、ステップ４２０で、検証要求がサーバ３３０に転送される。検証要求は、任意の適切な形態とすることができ、処理デバイス３１０の識別子などのような他の関連情報と一緒に、読み出された検証データを含むことができる。
【０１６２】
サーバ３３０は、ステップ４２５で、検証データを復号し、特に公開／プライベート鍵ペアの公開鍵を使用して暗号化メッセージを解読し、隔離テント識別子を決定し、ステップ４３０で、これが有効な識別子であることを確認する。これは、典型的には、隔離テントに対して作成され割り当てられた隔離テント識別子のリストを含むセキュアなデータベースに記憶されたデータを照会することを含む。
【０１６３】
検証データが成功裏に解読され、隔離テント識別子が正当であると決定されたとすると、ステップ４３５で、隔離テントは有効な隔離テントであると想定され、ステップ４４０で、サーバ３３０が続いて隔離テント使用状況をチェックすることを可能にする。特に、これは、以前に使用されていた隔離テントの隔離テント識別子を識別する使用状況データを照会して、ステップ４４５で、隔離テントが使用されていたかどうかをサーバ３３０がチェックすることを可能にする。
【０１６４】
隔離テントが有効でない、または隔離テントが使用されていたとステップ４４５で決定された場合、プロセスはステップ４５０に進み、ステップ４５０でサーバ３３０は失敗通知を生成する。次いで、失敗通知は、処理システム３１０に提供されて、部品が作動されるべきでないことを処理システムに警告し、またはサード・パーティに提供されて、無効なもしくは以前に使用された隔離テントを使用する試みであることをサード・パーティに通知することができる。通知は、供給業者に提供されて、無効なテントを使用する試みまたは有効なテントを再使用する試みが行われていることを供給業者に警告してもよい。
【０１６５】
他の場合、ステップ４６０で、使用状況データは、隔離テントが再使用されるのを防止するために更新され、その後、成功通知が、ステップ４６５で生成され、ステップ４７０で処理システム３１０に提供され、ステップ４７５で、処理システムが空気フィルタ、ドア・アクチュエータ、または照明などの部品を作動させることを可能にする。
【０１６６】
したがって、これが、検証プロセスのセキュリティを保証するのを支援できる遠隔検証プロセスを提供することは理解されよう。加えて、これは隔離テントの使用状況を自動的に追跡するので、これは供給システムに統合されることにより、テントが使用されるときに交換テントが自動的に供給されることを可能にすることができる。
【０１６７】
次に、図５Ａおよび図５Ｂを参照して、統合された空気フィルタ部材の使用を含む本発明の第３の態様が説明される。
【０１６８】
この例では、隔離テント本体１００は、内容積部内または内容積部外へ流れる空気を濾過するフィルタ部材フィルタ部材５０１を含む。フィルタ部材５０１は、チャコール・フィルタ、炭素フィルタ、粒子フィルタ、ＨＥＰＡフィルタ（Ｈｉｇｈ−Ｅｆｆｉｃｉｅｎｃｙ  Ｐａｒｔｉｃｕｌａｔｅ  Ａｒｒｅｓｔａｎｃｅ）、または他の類似のフィルタの形態とすることができ、隔離テントの壁および／または屋根内に設けられることができる。
【０１６９】
隔離テント本体においてフィルタ部材を設けることは、いくつかの利点を与え、特に、対象が隔離されることになる毎に新たなフィルタが提供されることを保証し、それにより、適切な空気フィルタリングが行われることを保証し、対象の交差汚染を防止する。
【０１７０】
次に、本発明の第３の態様に関連付けられたいくつかのさらなる特徴が説明される。
【０１７１】
一例では、フィルタ部材は、強制空気濾過を可能にするために、空気フィルタ・ユニット５４０と共に使用されるように適合されることができる。この例では、濾過システム５４０は、ポンプまたはファン５４３を介して連結された入口５４１および出口５４２を含み、空気が入口を通して吸い込まれ、出口を通して排出されることを可能にする。フィルタ・ユニット５４０は、典型的には、フィルタ部材５０１を通して内容積部から空気を抽出するために、フィルタ部材５０１に隣接して入口５４１が位置付けられるようにフレーム１１０に装着される。一例では、隔離テント本体１００は、空気濾過システムにシール係合するように適合されることができ、たとえば、フィルタ部材５０１の周りに少なくとも部分的に延びる両面テープなどの接着材５０１．１を有し、それにより、本体を空気濾過システムに取り付けることによってシール係合する。代替的に、少なくとも部分的なシーリングが、他の方法で、たとえば磁気結合などの使用によって達成されてもよい。たとえば、フィルタ部材は、強磁性外周部を含んでよく、強磁性外周部は、空気濾過システム内の磁石と係合し、それにより空気フィルタ入口と整合してフィルタ部材を保持する。加えておよび／または代わりに、ゴム・シールが、フィルタをシールし、および／またはフィルタを所定の位置に保持するために設けられてもよい。
【０１７２】
一例では、本体１００は、フラップ１００．１を含むこともでき、フラップ１００．１は、壁の下縁に設けられた少なくとも部分的に接着性の材料５０３を使用して装置を支持する表面に係合し、それにより少なくとも部分的に壁を床にシールする。これは、少なくとも部分的に内容積部をシールし、容積部の外への空気の流れがフィルタ部材を通るのを保証するのを助けるために使用されることができ、空気が周辺領域内に排出される前に内容積部内からの汚染物質が取り除かれることを可能にする。接着材料は、任意の適切な形態とすることができ、隔離テント本体に取り付けられまたは他の形式で統合される接着テープまたは他の類似する材料を含んでよい。
【０１７３】
上記の隔離テント本体は、典型的には、開口を有するパッケージ内に提供され、本体は、本体を展開することおよび／またはパッケージから本体を取り除くことなしに、コネクタがアクセス可能であるように、パッケージ内に折り畳まれる。これは、隔離テント本体をフレームに取り付けることを含む本発明の第４の態様をもたらす。
【０１７４】
この態様では、隔離テント本体をフレームに取り付ける方法が、本体を含むパッケージから複数のコネクタにアクセスすることを含み、コネクタは、パッケージから本体を展開するまたは取り除くことなしにアクセス可能である。これに続いて、コネクタは、フレームを延ばす前に折畳み位置でフレームに取り付けられ、フレームが延ばされると本体が展開する。したがって、隔離テントは、パッケージ内に供給され、それにより、フレームが少なくとも部分的に収縮された構成でありながら、これがフレームに容易に連結されることを可能にし、フレームが立設されると隔離テント本体が配備される。
【０１７５】
これの一部として、テント本体が内側パッケージ内に含まれながら、コネクタがアクセスされることができる前に、取り除かれる必要がある外側パッケージ内に本体が提供されることが可能である。これは、コネクタが輸送または格納中にからまったりまたは引っ掛かったりすることを回避しながら、無菌状態を保証するのを助けることができる。
【０１７６】
パッケージは、フレームを立設する前に取り除かれてよく、またはフレームが立設されるときに本体を展開する動作の一部として取り除かれてよい。
【０１７７】
パッケージは、本体に取り付けられたままで、ごみ容器として機能するように適合され、たとえば、これは、使用後にテント本体が収納できるバッグまたは他の類似の構成を提供することができ、テント本体がより容易に廃棄されることを可能にする。
【０１７８】
これの一部として、隔離テント本体は、ドアを画定するカーテンを含むことができ、カーテンは、開位置で本体に取り付けられ、フレームに装着されたドア機構にカーテンが取り付けられることが可能であるように取外し可能である。この例では、これは、隔離装置の立設を促進することができ、具体的には、隔離装置がその場で立設される場合、隔離テントが患者、ベッド、または他の物品上により容易に延ばされることを可能にする。
【０１７９】
この動作形態を達成するために、本体は、本発明の第５の態様に従って特定の方法でパッケージに梱包される必要がある。
【０１８０】
この例では、方法は、第１の対向する側面であって各側面が１つまたは複数の側壁に対応する側面を、直立した中心の線に沿って折り畳み、第２の対向する側面が近接されるようにすることによって、本体をパッケージ内に梱包することと、いずれかの順序で、第２の対向する壁部材を蛇腹状に畳むこと、または本体を長さ方向に折り畳むこととを含む。
【０１８１】
この梱包方法を利用することにより、コネクタが本体の１つの側面に沿って設けられ、フレームに直接取り付けられることができ、その後、フレームは隔離テント本体が展開するように延ばされることを確実にする。
【０１８２】
次に、本発明の第５の態様のいくつかのさらなる特徴が説明される。
【０１８３】
方法は、典型的には、奇数の折り目、一例では７つの折り目を使用して、第２の対向する側面を蛇腹状に畳むことをさらに含むが、いくつかの例では偶数の折り目が使用されてよいことは理解されよう。より具体的には、方法は、典型的には、対向する前壁および後壁を折り畳んで、これらの側壁を一緒にまとめることと、側壁を蛇腹状に畳むこととを含む。これを行うことにより、対向する前壁および後壁が折り畳まれて、前角部を一緒にまとめ、後角部を一緒にまとめ、側壁が蛇腹状に畳まれ、次いで、左前角部および左後角部を折り重ねて、左角部を一緒にまとめ、右角部を一緒にまとめる。
【０１８４】
次に、図１０Ａから図１０Ｅを参照して、折畳みプロセスの具体例が説明される。
【０１８５】
この例では、折畳みプロセスの第１のステップは、前壁および後壁１０１、１０２を中心の線に沿って内方へ折り畳むことを含み、屋根１０４は内方および下方へ引かれ、側壁１０３が一緒にまとめられることを可能にする。この例では、折畳みプロセスの理解を容易にするために、右前、左前、右後、および左後の角部はそれぞれ、１２０．１、１２０．２、１２０．３、および１２０．４とラベル付けされている。
【０１８６】
図１０Ｂの例では、ドア１０１．１、１０１．２は、折り畳まれて開いて、それぞれの側壁１０３の内面に取り付けられて、隔離テントの配備中にドアが開いたままである。
【０１８７】
図１０Ｃに示される第２のステップでは、テント本体は、側壁を７回折り曲げることによって蛇腹状に畳まれ、左前角部および左後角部１２０．２、１２０．４は折り重ねられ、したがって、図１０Ｄに示されるように、左前角部および左後角部１２０．２、１２０．４が一緒にまとめられ、右前角部および右後角部１２０．１、１２０．３が一緒にまとめられる。最後に、テント本体は、図１０Ｅに示されるように高さ方向に折り畳まれる。
【０１８８】
これは、テント本体を折り畳み、それが梱包されることができるようにし、コネクタ１２２はアクセス可能であり、フレームの配備前にフレームに連結されることが可能であり、したがって、テント本体は、フレームが立設されるときに展開されることができることは理解されよう。また、図１０Ｅと図１０Ｃのステップは置き換えられてよく、したがって、テント本体は、蛇腹状に畳まれる前に高さ方向に折り畳まれるが、依然として同じ結果が達成されることを可能にしていることは理解されよう。
【０１８９】
上記から、様々な異なるコネクタ構成が使用されてよいことが理解されよう。１つの代替例では、フレーム・コネクタは、フレームにおける溝を含み、コネクタは、溝内に摺動可能に装着されるスロット付きペグを含む。フレームは、複数の溝を含み、各溝は、それぞれのスロット付きペグを受け入れる形状にされた開口を含み、それにより、ペグがそれぞれの溝内に摺動可能に装着されることを可能にする。溝は、溝内にペグを選択的にロックするために使用される解放可能ロックを含む。次に、図１１Ａから図１１Ｇを参照して、そのような構成の具体例が説明される。
【０１９０】
この例では、隔離テント１１００は、それぞれの継ぎ目で接合された側壁１１０２および屋根１１０４を含み、リム１１０６が、典型的には継ぎ目から外方へ延び、１つまたは複数の装着タブ１１０５が、各角部に隣接するリムから外方へ延び、取り付けコード１１２２．１がそれに取り付けられるのを可能にする。取り付けコード１１２２．１は、スロット付きペグ１１２２．２の形態のコネクタ１１２２に取り付けられる。スロット付きペグ１１２２．２は、典型的には細長く、両端部に接触プレート１１２２．３を有する円周スロット１１２２．４を含み、フレーム脚１１１１の上端に設けられた溝１１２１．２内にペグが設けられることを可能にし、溝１１２１．２のフランジ付き縁部がスロット内に設けられ、これにより、ペグ１１２２．２が溝１１２１．２内に摺動可能に装着されることを可能にする。
【０１９１】
図１１Ａおよび図１１Ｂに示される例では、スロット付きペグ１２２．２は、円形の断面形状を有し、これが相補的形状の溝開口１１２１．１を介して溝１１２１．２内に挿入されることを可能にする。しかしながら、図１１Ｃから図１１Ｇに示されるように、各溝は、それぞれの成形された開口を有することができ、隔離テントの異なるコネクタ１１２２がフレームに選択的に取り付けられることを可能にし、それにより、隔離テントが正しい方向付けにあるようにする。
【０１９２】
これに関して、図１１Ｃから図１１Ｆに示されるように、フレームは、最初に折畳みされた構成で提供され、脚１１１１が当接して設けられ、隔離テント１１００が配置されることができる開口領域１１１１．１を画定する。これに関して、隔離テントは、最初にパッケージ内に設けられ、コネクタ１１２２．２が露出され、これらの各コネクタが、対応する形状を有するそれぞれの開口１１２１．１内に挿入されることを可能にする。
【０１９３】
これに続いて、コネクタ１１２２．２は、矢印１１２４によって示されるように、溝１１２１．１に沿って外方へ溝１１２１．２の端部まで移動されることができ、ここで、コネクタは、ロック機構によって所定の位置にロックされる。このアクションは、取り付けコード１１２２．１に張力をかけて隔離テントに張力をかけ、一例では、パッケージを割って開くようにし、それにより隔離テント１１００を解放する。
【０１９４】
次いで、フレームは、図１１Ｆに示されるようにアクションが隔離テントを開き、立設されることができる。
【０１９５】
隔離テントが使用されているとき、アクチュエータ１１２３．１に結合された解放ボタンを押すことによって、隔離テントがフレームから取り除かれることができ、解放ボタンは、ばね１１２３．２によって付勢され、またコネクタ１１２２．２に係合する。アクチュエータが押下されると、これはコネクタ１１２２．２を解放し、これが溝１１２１．２に沿って開口１１２１．１まで摺動することを可能にし、したがって、コネクタ１１２２．２ひいては隔離テントがフレームから取り除かれることができる。
【０１９６】
最後に、コネクタ１１２２．２はまた、典型的には、リム１１０６を通って継ぎ目に沿って延びるワイヤ１１３１．１を含み、たとえば先に説明されたように、１つまたは複数の電気部品への接続を可能にする。この例では、ワイヤ１１３１．１は、縫い目１１０６．１を介してリム１１０６に取り付けられ、それにより、ワイヤ１１３１．１を所定の位置に保持し、使用時にこれらが損傷され、またはテントから引っ張られることを防止することができる。
【０１９７】
次に、図１２Ａから図１２Ｆならびに図１３Ａおよび図１３Ｂを参照して、コネクタを含むフィルタ部材が設けられるさらなる例示的装置構成が説明される。
【０１９８】
この例では、隔離テント１２００は、フィルタ部材の後壁１２０２に装着されるフィルタ部材１２５０を含み、テントは、典型的には、前壁および側壁１２０１、１２０３、屋根１２０４、およびドア１２４２をやはり含む。
【０１９９】
フィルタ部材１２５０は、フィルタ部材をフレーム１３１０に物理的に取り付けるように適合されたコネクタを含み、一例では、フレーム１３１０に結合された空気濾過システム１３０５に取り付ける。フレーム１３１０は、先に説明されたものとほぼ同様の形態であり、テントを支持するコネクタ１３２２を有する、シザー・アームによって相互連結された直立脚１３１１を含む。
【０２００】
空気濾過システム１３０５は、図５Ａおよび図５Ｂを参照して上述されたものと同様とすることができ、典型的には、ポンプまたはファン１３０５．１を介して連結された入口および出口を含み、空気が入口を通して吸い込まれ、出口を通して排出されることを可能にすることは理解されよう。フィルタ部材１２５０は、チャコール・フィルタ、炭素フィルタ、粒子フィルタ、ＨＥＰＡフィルタ（Ｈｉｇｈ−Ｅｆｆｉｃｉｅｎｃｙ  Ｐａｒｔｉｃｕｌａｔｅ  Ａｒｒｅｓｔａｎｃｅ）、または他の類似のフィルタを含むことができ、テント内の内容積部から抽出された空気を濾過する。
【０２０１】
現在の例では、フィルタ部材は、フィルタ本体１２５２を支持するフィルタ・フレーム１２５１を含む。この場合、コネクタは、フィルタ・フレーム１２５１によって形成され、フィルタ・フレームは、フレーム上でフィルタ取付け部１２０５に係合して、それにより、フィルタ部材をフレームに取り付ける。フィルタ取付け部１２０５は、典型的には、濾過システムの一部として提供され、フィルタ部材は、フィルタ取付け具とシール係合し、濾過システムが、フィルタ部材１２５０を通して内容積部からの空気を抽出することを可能にする。フィルタ取付け部１２０５およびフィルタ・フレーム１２５１は、摩擦嵌め、フックおよびアイ、締まり嵌め、またはクリップ嵌めなどの任意の適切な結合機構を使用して結合されることができる。
【０２０２】
現在の装置構成では、装置は、電気部品を含み、電気部品は、コネクタに電気的に接続されて、コネクタを介して電気信号が電気部品へ転送されるまたは電気部品から転送されることを可能にする。特に、この例では、フィルタ部材は、フィルタ・フレーム１２５１に装着され電気部品に電気的に接続された、第１および第２のフィルタ部材接触部１２５３を含む。フィルタ部材接触部１２５３は、フィルタ取付け部１２０５に取り付けられた対応するフレーム接触部１２０６に係合する。この場合、これは、テント１２００とフレームとの間で信号が転送されるのを可能にする。特に、フレーム接触部１２０６は、典型的には、濾過ユニットやドア・アクチュエータなどの電気機器に電気的に接続され、それにより、電気部品を電気機器に電気的に接続する。
【０２０３】
たとえば、電気部品は、第１および第２のフィルタ部材接触部１２５３間に延びる導体１２５５を含むことができ、信号がテントを介して転送されるのを可能にする。これは、金属製の「電気ジャンパー」、ＰＣＢ、または他の電気コネクタの形態であってよく、任意選択でフィルタ・フレーム１２５１内に成形され、たとえばフレーム内の機器に電力が供給されるのを可能にするために、回路を完成させるために使用され得る。たとえば、フレーム接触部は、フィルタ部材１２５０が正しく設置されたときにのみ、電力が濾過ユニットに供給されるように、電源１３０５および濾過ユニット１３０５に結合されてよい。これは、正しいフィルタ部材を含まないテントと共に装置が使用される場合、またはフィルタ部材が正しく設置されていない場合に、濾過ユニットの動作を防止する。これは、テントが正当なテントでなくまたは正しく設置されていない場合、濾過ユニットの失敗を通して通知を効果的に提供することによって、隔離が維持されることを保証するのを助けることができる。
【０２０４】
電気部品はまた、たとえば先に説明されたのと同様の様式で追加の検証を実行するための任意選択の識別タグ１２５６を含み得る。
【０２０５】
一実施形態では、フィルタ部材接触部１２５３は、フィルタ・フレームにおけるそれぞれの凹部１２５４に装着される。これは、フレーム接触部１２０６との係合を容易にするために使用されることができ、またはそれに２次的フィルタ部材１２６０が結合されるのを可能にするために使用されることができる。この例では、２次的フィルタ部材１２６０は、フレーム１２６１および本体１２６２、さらに２次的フィルタ接触部１２６３を含むことができ、２次的フィルタ接触部１２６３は、フィルタ接触部１２５３に係合して、さらなる電気部品および経路が作成されることを可能にする。
【０２０６】
図１２Ａから図１２Ｆの例では、電気接触部は、フィルタ部材１２５０の上部および底部に示されているが、これは必須ではなく、代替的に、接触部は、上部または底部のみ、またはフィルタの他の部分、たとえば、側面またはフレームの面などに設けられてよいことに留意されたい。
【０２０７】
図１３Ａおよび図１３Ｂの例では、フィルタ部材１２５０が電源１３０５．２から濾過ユニット１３０５へ電力を伝達するために単に使用される。しかしながら、他の装置構成が使用され得ることは理解されよう。
【０２０８】
次に、図１４Ａおよび１４Ｂを参照してさらなる例を説明するが、ここでは、参照番号は、それぞれ図１２Ａから図１２Ｆおよび図１３Ａおよび１３Ｂの特徴と比較して２００および１００だけ増加される。
【０２０９】
この例では、隔離テント１４００は、フィルタ部材の後壁１４０２に装着されるフィルタ部材１４５０を含み、テントは、典型的には、前壁および側壁１４０１、１４０３、屋根１４０４、およびドア１４４２をやはり含む。フィルタ部材１４５０は、電気接続を提供するための導体１４５５を含み、それにより、フレーム１４１０に装着された濾過システム１４０５に電力を供給する。フレームは、直立脚１４１１を含み、直立脚１４１１は、シザー・アームによって相互連結され、テントを支持するコネクタ１４２２を有する。
【０２１０】
この例では、システムはさらに、フット・ペダルまたは類似の形態のドア・アクチュエータ１４４０を含む。電力は、脚１４１１内の接続１４３１と、コネクタ１４２２と、テント本体を通過してフィルタ部材１４５０内の導体１４５５まで進む導体１４３０とを介して、ドア・アクチュエータ１４４０に供給される。
【０２１１】
したがって、この例では、濾過システムに電力を供給するだけでなく、フィルタ部材内の導体１４５５は、導体１４３０と共にテント本体を通ってドア・アクチュエータ１４４０に電力を提供するためにも使用される。
【０２１２】
次に、図１５Ａおよび図１５Ｂを参照して、さらなる例が説明される。
【０２１３】
この例では、隔離テント１５００は、フィルタ部材の後壁１５０２に装着されるフィルタ部材１５５０を含み、テントは、典型的には、前壁および側壁１５０１、１５０３、屋根１５０４、およびドア１５４２をやはり含む。フィルタ部材１５５０は、電気接続を提供するための導体１５５５を含み、それにより、フレーム１５１０に装着された濾過システム１５０５に電力を供給する。フレームは、直立脚１５１１を含み、直立脚１５１１は、シザー・アームによって相互連結され、テントを支持するコネクタ１５２２を有する。
【０２１４】
この例では、２つの導体１５３０．１、１５３０．２が設けられ、テント本体を通過してフィルタ部材内の導体１５５５まで進む。この例では、導体１５３０．１はドア・アクチュエータ１５４０．１に接続され、導体１５３０．２は、これが第２のドア・アクチュエータ１５４０．２に結合されることを可能にするコネクタ１５３０．３で終端する。
【０２１５】
次に、図１６Ａおよび図１６Ｂを参照して、さらなる例が説明される。
【０２１６】
この例では、隔離テント１６００は、フィルタ部材の後壁１６０２に装着されるフィルタ部材１６５０を含み、テントは、典型的には、前壁および側壁１６０１、１６０３、屋根１６０４、およびドア１６４２をやはり含む。フィルタ部材１６５０は、電気接続を提供するための導体１６５５を含み、それにより、フレーム１６１０に装着された濾過システム１６０５に電力を供給する。フレームは、直立脚１６１１を含み、直立脚１６１１は、シザー・アームによって相互連結され、テントを支持するコネクタ１６２２を有する。
【０２１７】
この例では、導体１６３０は、テントの前部にわたって該当するコネクタ１６２２の間に延びて、第１および第２のドア・アクチュエータ１６４０．１、１６４０．２が電気的に相互接続されることを可能にする。
【０２１８】
したがって、図１２Ａから図１６Ｂの上記の例では、電気部品およびコネクタがフィルタ部材の一部を形成し、フレームに統合された濾過システムにフィルタ部材が取り付けられたときに、電気接続が形成される。この装置構成は、先に説明されたコネクタ装置構成に加えてまたは代えて使用され得ることは理解されよう。
【０２１９】
使用される手法に関わらず、上述された装置構成は、何らかの形態の電気部品を含むテントを提供し、これは、使用時に、何らかの様式でフレームにテントを取り付けるコネクタを介して機器に電気的に接続される。これは、角部もしくはテントの他の部分をフレームの脚などのフレームの部分に物理的に結合するコネクタ、および／または、フィルタ部材を空気濾過システムに接続するために使用されるコネクタを介することを含み得る。これは、電気部品が存在すると種々の機能性が選択的に実装されることを可能にし、それにより、テント本体の正しい設置がされたときのみに隔離装置が機能するようにする。
【０２２０】
上述された特徴は、独立してまたは併せて実装されることが可能であり、たとえば、電気部品、機械可読検証データ、空気フィルタ、統合されたドア、および取り付け方法などのうちの任意の１つまたは複数を統合する隔離テントを提供することは理解されよう。
【０２２１】
上記の例は、特に接触および飛沫型の感染伝播に関して隔離を実現することを目的とする隔離装置の提供に焦点を当てている。しかしながら、これは必須ではなく、空気感染に対する保護を提供するために装置が拡張されることができ、それにより、空気感染隔離室（ＡＩＩＲ）として機能する。
【０２２２】
上記の例は患者の形態の対象を隔離する際の隔離装置の使用に焦点を当てているが、上述された構成は、いずれの形態の隔離が必要とされる場合でも使用され得ることは理解されよう。たとえば、隔離装置は、汚染除去または滅菌処置中にベッドなどの機器を隔離するために使用されてよい。この例では、装置は、隔離を実現する際にやはり使用されており、この場合、物体または物品の形態の対象を隔離し、これがたとえばＵＶ放射などへの暴露を通して汚染除去されることを可能にし、これが周辺環境の汚染のリスクなしに行われることを可能にし、または周辺環境のＵＶ放射への暴露を防止する。したがって、機器が病室で汚染された場合、病室の人々または他の機器の汚染の機会を低減しながら、隔離装置がその場で機器の周りに立設され、汚染除去プロセスを行うために使用されることが可能である。したがって、装置は、幅広い状況で使用されることができ、任意の物体または物品を隔離するために使用されることができ、好ましい例としての患者への特定の言及が限定することを意図しないことは理解されよう。
【０２２３】
上記で隔離装置という用語が使用されているが、これは限定することを意図せず、国によっては一般にバリア予防策とも呼ばれる隔離を実現する装置構成を含むことが意図される。
【０２２４】
本明細書および添付の特許請求の範囲を通して、文脈が別段に要求しない限り、「備える」という語および「備えている」などの変形は、記載された整数または整数もしくはステップのグループを含むが、他の任意の整数または整数のグループを除外しないことを意味すると理解される。本明細書で使用され、別段に記載されない限り、「約」という用語は±２０％を意味する。
【０２２５】
明細書および添付の特許請求の範囲において使用される場合、単数形「ａ」、「ａｎ」、および「ｔｈｅ」は、文脈で明確に別段に指示しない限り、複数の指示対象を含むことに留意されたい。したがって、たとえば、「ａ  ｓｕｐｐｏｒｔ」への言及は複数の「ｓｕｐｐｏｒｔｓ」を含む。本明細書および添付の特許請求の範囲において、反対の意図が明らかでない限り、以下の意味を有するように定義されるべきいくつかの用語が参照される。
【０２２６】
多数の変形および修正が明らかになることを当業者は理解するであろう。当業者に明らかとなるすべてのそのような変形および修正は、本発明が説明される前に広く現れる趣旨および範囲内に入るものと考えられるべきである。
【図１Ａ】
2020515748.tif 000003
【図１Ｂ】
2020515748.tif 000004
【図１Ｃ】
2020515748.tif 000005
【図１Ｄ】
2020515748.tif 000006
【図２】
2020515748.tif 000007
【図３】
2020515748.tif 000008
【図４Ａ】
2020515748.tif 000009
【図４Ｂ】
2020515748.tif 000010
【図５Ａ】
2020515748.tif 000011
【図５Ｂ】
2020515748.tif 000012
【図６Ａ】
2020515748.tif 000013
【図６Ｂ−６Ｃ】
2020515748.tif 000014
【図７Ａ】
2020515748.tif 000015
【図７Ｂ】
2020515748.tif 000016
【図７Ｃ】
2020515748.tif 000017
【図７Ｄ】
2020515748.tif 000018
【図７Ｅ】
2020515748.tif 000019
【図８Ａ】
2020515748.tif 000020
【図８Ｂ】
2020515748.tif 000021
【図８Ｃ】
2020515748.tif 000022
【図９Ａ】
2020515748.tif 000023
【図９Ｂ】
2020515748.tif 000024
【図９Ｃ】
2020515748.tif 000025
【図９Ｄ】
2020515748.tif 000026
【図９Ｅ】
2020515748.tif 000027
【図１０Ａ】
2020515748.tif 000028
【図１０Ｂ】
2020515748.tif 000029
【図１０Ｃ】
2020515748.tif 000030
【図１０Ｄ】
2020515748.tif 000031
【図１０Ｅ】
2020515748.tif 000032
【図１１Ａ】
2020515748.tif 000033
【図１１Ｂ】
2020515748.tif 000034
【図１１Ｃ】
2020515748.tif 000035
【図１１Ｄ】
2020515748.tif 000036
【図１１Ｅ】
2020515748.tif 000037
【図１１Ｆ】
2020515748.tif 000038
【図１１Ｇ】
2020515748.tif 000039
【図１２Ａ】
2020515748.tif 000040
【図１２Ｂ】
2020515748.tif 000041
【図１２Ｃ】
2020515748.tif 000042
【図１２Ｄ】
2020515748.tif 000043
【図１２Ｅ】
2020515748.tif 000044
【図１２Ｆ】
2020515748.tif 000045
【図１３Ａ】
2020515748.tif 000046
【図１３Ｂ】
2020515748.tif 000047
【図１４Ａ】
2020515748.tif 000048
【図１４Ｂ】
2020515748.tif 000049
【図１５Ａ】
2020515748.tif 000050
【図１５Ｂ】
2020515748.tif 000051
【図１６Ａ】
2020515748.tif 000052
【図１６Ｂ】
2020515748.tif 000053
【国際調査報告】
2020515748.tif 000054
2020515748.tif 000055
2020515748.tif 000056
2020515748.tif 000057
2020515748.tif 000058
2020515748.tif 000059
2020515748.tif 000060